(57)【要約】【課題】観察環境による見た目の変化を抑制した画像を生成する。【解決手段】本発明は、入力画像データに基づいて印刷された画像に照射される光の強度に応じて、入力画像データを画像に重畳させる照明出力用の画像データに変換する画像処理装置であって、観察条件を取得する取得手段と、観察条件とプリント画像データに対応する反射特性に基づいてプリント輝度特性を予測する予測手段と、プリント輝度特性に基づいて目標輝度特性を導出する導出手段と、プリント輝度特性と目標輝度特性に基づいて入力画像データを照明出力用の画像データに変換する照明変換特性を設定する設定手段と、照明変換特性を用いて入力画像データを階調変換する変換手段を備え、導出手段は、プリント輝度特性における照明強度の再現範囲が異なる場合に、再現範囲が相対的に大きい場合の出力輝度の線形領域が大きくなるように、目標輝度特性を導出する。【選択図】図３
2019096928.tif 000002
【特許請求の範囲】
【請求項１】
入力画像データに基づいて印刷された画像に照射される光の強度に応じて、前記入力画像データを、照明装置により前記画像に重畳させる照明出力用の画像データに変換する画像処理装置であって、
前記入力画像データからプリンタ階調変換特性を用いてプリント画像データを生成する生成手段と、
前記照明装置の有する照明強度で照射したときの観察条件を取得する取得手段と、
前記観察条件と前記プリント画像データに対応する反射特性とに基づいて、前記プリント画像データに対応するプリント輝度特性を予測する予測手段と、
前記プリント輝度特性に基づいて、前記観察条件における目標輝度特性を導出する導出手段と、
前記プリント輝度特性と前記目標輝度特性とに基づいて、前記入力画像データを前記照明出力用の画像データに変換する照明変換特性を設定する設定手段と、
前記照明変換特性を用いて、前記入力画像データを階調変換する変換手段と
を備え、
前記導出手段は、前記プリント輝度特性における照明強度の再現範囲が異なる場合に、前記再現範囲が相対的に大きい場合の出力輝度の線形領域が、前記再現範囲が相対的に小さい場合の出力輝度の線形領域よりも大きくなるように、前記目標輝度特性を導出することを特徴とする画像処理装置。
【請求項２】
前記導出手段は、前記プリント輝度特性における照明強度の再現範囲が異なる場合に、前記再現範囲が相対的に小さい場合の出力輝度の線形領域における傾きと、前記再現範囲が相対的に大きい場合の出力輝度の線形領域における傾きとが一致するように、前記目標輝度特性を導出することを特徴とする請求項１に記載の画像処理装置。
【請求項３】
前記取得手段は、前記観察条件として、少なくとも前記画像に照射される照明強度を取得し、
前記予測手段は、前記反射特性として、少なくとも拡散反射特性に基づいて予測することを特徴とする請求項１又は２に記載の画像処理装置。
【請求項４】
前記取得手段は、前記観察条件として、さらに観察位置と前記画像の位置関係に正対する光の入射角方向の輝度を取得し、
前記予測手段は、前記反射特性として、さらに鏡面反射特性に基づいて予測することを特徴とする請求項３に記載の画像処理装置。
【請求項５】
前記反射特性において、前記拡散反射特性として有する拡散反射率の値の数と、前記鏡面反射特性として有する鏡面反射率の値の数とが異なることを特徴とする請求項４に記載の画像処理装置。
【請求項６】
前記拡散反射特性は分光測色器により測定され、前記鏡面反射特性は変角測定器により測定されることを特徴とする請求項４又は５に記載の画像処理装置。
【請求項７】
前記取得手段は、前記観察条件として、さらに観察者により知覚される前記画像以外の部分の背景輝度を取得し、
前記導出手段は、前記画像に指向性照明を照射したときの、前記背景輝度に対する前記画像の最明部の輝度のコントラスト値をさらに導出し、前記プリント輝度特性と前記コントラスト値に基づいて、前記目標輝度特性を導出することを特徴とする請求項３に記載の画像処理装置。
【請求項８】
前記導出手段は、前記コントラスト値が、前記コントラスト値を導出したときの前記画像の中心部に照射された照明強度と同様の照明強度で非指向性照明を前記画像の中心部に照射したときの、前記背景輝度に対する前記画像の最明部の輝度のコントラスト値と略一致するように、前記目標輝度特性を導出することを特徴とする請求項７に記載の画像処理装置。
【請求項９】
前記照明強度、又は、前記照明強度及び前記入射角方向の輝度は、ユーザにより設定されることを特徴とする請求項４から６のいずれか１項に記載の画像処理装置。
【請求項１０】
前記照明強度、又は、前記照明強度及び前記画像以外の部分の背景輝度は、ユーザにより設定されることを特徴とする請求項７又は８に記載の画像処理装置。
【請求項１１】
前記入力画像データにおいて、画素値とシーン輝度が線形関係にあることを特徴とする請求項１から１０のいずれか１項に記載の画像処理装置。
【請求項１２】
入力画像データに基づいて印刷された画像に照射される光の強度に応じて、前記入力画像データを、照明装置により前記画像に重畳させる照明出力用の画像データに変換する画像処理装置であって、
前記入力画像データからプリンタ階調変換特性を用いてプリント画像データを生成する生成手段と、
前記照明装置の有する照明強度で照射したときの観察条件を取得する取得手段と、
前記観察条件と前記プリント画像データに対応する反射特性とに基づいて、前記プリント画像データに対応するプリント彩度特性を予測する予測手段と、
前記プリント彩度特性に基づいて、前記観察条件における目標彩度特性を導出する導出手段と、
前記プリント彩度特性と前記目標彩度特性とに基づいて、前記入力画像データを前記照明出力用の画像データに変換する照明変換特性を設定する設定手段と、
前記照明変換特性を用いて、前記入力画像データを階調変換する変換手段と
を備え、
前記導出手段は、前記プリント彩度特性における照明強度の再現範囲が異なる場合に、前記再現範囲が相対的に大きい場合の出力輝度の線形領域が、前記再現範囲が相対的に小さい場合の出力輝度の線形領域よりも大きくなるように、前記目標彩度特性を導出することを特徴とする画像処理装置。
【請求項１３】
コンピュータを、請求項１から１２のいずれか１項に記載の画像処理装置の各手段として機能させるためのプログラム。
【請求項１４】
入力画像データに基づいて印刷された画像に照射される光の強度に応じて、前記入力画像データを、照明装置により前記画像に重畳させる照明出力用の画像データに変換する画像処理装置における画像処理方法であって、
前記入力画像データからプリンタ階調変換特性を用いてプリント画像データを生成する生成ステップと、
前記照明装置の有する照明強度で照射したときの観察条件を取得する取得ステップと、
前記観察条件と前記プリント画像データに対応する反射特性とに基づいて、前記プリント画像データに対応するプリント輝度特性を予測する予測ステップと、
前記プリント輝度特性に基づいて、前記観察条件における目標輝度特性を導出する導出ステップと、
前記プリント輝度特性と前記目標輝度特性とに基づいて、前記入力画像データを前記照明出力用の画像データに変換する照明変換特性を設定する設定ステップと、
前記照明変換特性を用いて、前記入力画像データを階調変換する変換ステップと
を含み、
前記導出ステップは、前記プリント輝度特性における照明強度の再現範囲が異なる場合に、前記再現範囲が相対的に大きい場合の出力輝度の線形領域が、前記再現範囲が相対的に小さい場合の出力輝度の線形領域よりも大きくなるように、前記目標輝度特性を導出することを特徴とする画像処理方法。
【請求項１５】
入力画像データに基づいて画像を印刷する画像印刷装置と、
前記入力画像データに基づいて印刷された画像に照射される光の強度に応じて、前記入力画像データを、照明出力用の画像データに変換する画像処理装置と、
前記照明出力用の画像データに基づいて、前記画像に照明を重畳させて照射する照明装置と
を備え、
前記画像処理装置は、
前記入力画像データからプリンタ階調変換特性を用いてプリント画像データを生成する生成手段と、
前記照明装置の有する照明強度で照射したときの観察条件を取得する取得手段と、
前記観察条件と前記プリント画像データに対応する反射特性とに基づいて、前記プリント画像データに対応するプリント輝度特性を予測する予測手段と、
前記プリント輝度特性に基づいて、前記観察条件における目標輝度特性を導出する導出手段と、
前記プリント輝度特性と前記目標輝度特性とに基づいて、前記入力画像データを前記照明出力用の画像データに変換する照明変換特性を設定する設定手段と、
前記照明変換特性を用いて、前記入力画像データを階調変換する変換手段と
を有し、
前記導出手段は、前記プリント輝度特性における照明強度の再現範囲が異なる場合に、前記再現範囲が相対的に大きい場合の出力輝度の線形領域が、前記再現範囲が相対的に小さい場合の出力輝度の線形領域よりも大きくなるように、前記目標輝度特性を導出することを特徴とする画像表示装置。
【請求項１６】
前記照明装置は、局所的に照明強度を制御することができることを特徴とする請求項１５に記載の画像表示装置。
【発明の詳細な説明】
【技術分野】
【０００１】
本発明は、観察環境による見た目の変化を抑制した画像を生成するための技術に関する。
【背景技術】
【０００２】
従来、インクジェット、電子写真、熱転写等の様々な印刷方式を用いるデジタル複写機、プリンタ等の画像形成装置が普及している。また、これらの画像形成装置を用いて作製された印刷物に関して、観察環境により、印刷物の見た目の濃度（色）が変化することが知られている。
【０００３】
ここで、観察環境の一つとして、例えば、観察環境に設置された照明の照明強度があり、そのため、照明強度が変化する場合であっても、印刷物の見た目の濃度変化を抑制し、作製者が意図したように知覚させる画像処理技術が提案されている（特許文献１）。
【０００４】
特許文献１には、画像の反射特性に基づいて、観察条件における画像の反射光を算出し、その算出した画像の反射光に応じて選択した画像出力モードで、観察環境に配置される画像を形成するための画像データを出力する画像処理技術が開示されている。
【先行技術文献】
【特許文献】
【０００５】
【特許文献１】特開２０１６−０５４３５６号公報
【発明の概要】
【発明が解決しようとする課題】
【０００６】
但し、特許文献１に開示された画像処理技術では、少なくとも照明強度が大きい観察環境下において、印刷物の中間調部からハイライト部が白飛びし、数段程度、露出がオーバーした状態で撮影されたかのように知覚される。即ち、照明強度が大きくなると、印刷物の見た目が変化してしまうという課題がある。
【０００７】
本発明は、上記課題に鑑みてなされたものであり、観察環境による見た目の変化を抑制した画像を生成することである。
【課題を解決するための手段】
【０００８】
上記目的を達成するために、本発明の画像処理装置は、入力画像データに基づいて印刷された画像に照射される光の強度に応じて、前記入力画像データを、照明装置により前記画像に重畳させる照明出力用の画像データに変換する画像処理装置であって、前記入力画像データからプリンタ階調変換特性を用いてプリント画像データを生成する生成手段と、前記照明装置の有する照明強度で照射したときの観察条件を取得する取得手段と、前記観察条件と前記プリント画像データに対応する反射特性とに基づいて、前記プリント画像データに対応するプリント輝度特性を予測する予測手段と、前記プリント輝度特性に基づいて、前記観察条件における目標輝度特性を導出する導出手段と、前記プリント輝度特性と前記目標輝度特性とに基づいて、前記入力画像データを前記照明出力用の画像データに変換する照明変換特性を設定する設定手段と、前記照明変換特性を用いて、前記入力画像データを階調変換する変換手段とを備え、前記導出手段は、前記プリント輝度特性における照明強度の再現範囲が異なる場合に、前記再現範囲が相対的に大きい場合の出力輝度の線形領域が、前記再現範囲が相対的に小さい場合の出力輝度の線形領域よりも大きくなるように、前記目標輝度特性を導出することを特徴とする。
【発明の効果】
【０００９】
本発明によれば、観察環境による見た目の変化を抑制した画像を生成することができる。
【図面の簡単な説明】
【００１０】
【図１】従来のガンマカーブにおいて、照明強度により変化するプリント輝度を示す図である。
【図２】画像処理装置のブロック図である。
【図３】画像処理装置の機能ブロック図である。
【図４】拡散反射特性の測定に用いられる分光測色器を示す図である。
【図５】反射特性保持部に保持される印刷物反射特性を示す図である。
【図６】プリント処理部の機能ブロック図である。
【図７】観察条件取得部により提供されるＧＵＩを示す図である。
【図８】画像処理装置における画像処理の手順を示すフローチャートである。
【図９】目標輝度特性と変換特性を示す図である。
【図１０】目標輝度特性設定部における目標輝度特性の設定方法を示す図である。
【図１１】一般的な観察環境に配置された印刷物から観察者の目が受光される反射光について説明する図である。
【図１２】画像処理装置の機能ブロック図である。
【図１３】鏡面反射特性の測定に用いられる変角測定器を示す図である。
【図１４】反射特性保持部に保持される印刷物反射特性を示す図である。
【図１５】観察条件取得部により提供されるＧＵＩを示す図である。
【図１６】プリント輝度最大値に対応する目標輝度特性を示す図である。
【図１７】反射特性保持部に保持される印刷物反射特性を示す図である。
【図１８】プリンタガンマテーブルを示す図である。
【図１９】照明処理部の機能ブロック図である。
【図２０】出力画像の輝度レンジの拡大について説明する図である。
【図２１】展示環境に起因して知覚される濃度変化を示す図である。
【図２２】展示環境における画像の最明部の輝度、非画像部の背景の輝度、画像の最暗部の輝度を示す図である。
【図２３】観察条件取得部により提供されるＧＵＩを示す図である。
【図２４】仮目標輝度特性を示す図である。
【図２５】目標輝度特性設定部における仮目標輝度特性の設定方法を示す図である。
【発明を実施するための形態】
【００１１】
以下、本発明の好適な実施の形態に関して、添付図面を参照しながら、詳細に説明する。なお、以下の実施形態は、本発明を限定するものではなく、また、本実施形態で説明されている特徴の組み合わせの全てが本発明の解決手段に必須のものとは限らない。
【００１２】
（照明の強度により知覚される印刷物の明るさ）
はじめに、本発明の実施形態を説明する前に、観察環境における照明強度によって、印刷物の明るさが異なって知覚される要因に関して、図１を用いて説明する。図１は、従来から好ましいとされる入出力特性ガンマカーブを用いて、照明強度を（ａ）通常（３００−１０００［ｌｘ］）、（ｂ）強（１０００［ｌｘ］以上）とした場合のシーン輝度［ｃｄ／ｍ２］とプリント輝度［ｃｄ／ｍ２］の関係を示した図である。なお、各図において、図中に示される黒丸「●」は、肌領域を示している。
【００１３】
図１において、従来から好ましいとされる入出力特性ガンマカーブ（Ｓ字）１００１は、入力画素値に対して出力画素値の方が大きくなっている。具体的には、中間調部からハイライト部にかけて、即ち、上に凸となる領域（１００２）において、入力画素値に対して出力画素値の方が大きくなっている。即ち、明るくなっている。
【００１４】
そして、この従来から好ましいとされる入出力特性ガンマカーブ（Ｓ字）１００１を用いて、照明強度を（ａ）通常（３００−１０００［ｌｘ］）とした場合のシーン輝度［ｃｄ／ｍ２］とプリント輝度［ｃｄ／ｍ２］の関係を示したのが図１（ａ）である。
【００１５】
図１（ａ）を参照すると、肌領域等の重要領域（１００５）の輝度レンジ以下で、シーン輝度とプリント輝度との関係は線形性を保ち、また、その輝度の値はおおよそ同じ値となっている。このようになる理由は、通常の照明（３００−１０００［ｌｘ］）環境下で見るプリント輝度のＭＡＸ値は、１００−３００［ｃｄ／ｍ２］と、実際のシーン輝度のＭＡＸ値（１０００［ｃｄ／ｍ２］以上）に比べ一般的に狭いためである。
【００１６】
即ち、従来から好ましいとされる入出力特性ガンマカーブ（Ｓ字）１００１は、入力画素値に比べ出力画素値の方が大きく設定されているが、プリント輝度のＭＡＸ値は、１００−３００［ｃｄ／ｍ２］と小さい。そのため、結果として肌領域等の重要領域（１００５）の輝度レンジ以下で、シーン輝度と、プリント輝度の傾きが概ね一致するのである。
【００１７】
なお、従来から好ましいとされる入出力特性ガンマカーブ（Ｓ字）１００１の下に凸となる領域１００３は、プリントの黒浮きをリニアに補正するための特性である。そのため、シャドウ部におけるプリント輝度は、結果としてシーン輝度に対して線形を保たれることが多い。
【００１８】
また、この従来から好ましいとされる入出力特性ガンマカーブ（Ｓ字）１００１を用いて、照明強度を（ｂ）強（１０００［ｌｘ］以上）とした場合のシーン輝度［ｃｄ／ｍ２］とプリント輝度［ｃｄ／ｍ２］の関係を示したのが図１（ｂ）である。
【００１９】
図１（ｂ）を参照すると、肌領域等の重要領域（１００７）の輝度レンジ以下でシーン輝度とプリント輝度との関係は線形性を保つものの、その輝度の値は同じ値とならない。このようになる理由は、この従来から好ましいとされる入出力特性ガンマカーブ（Ｓ字）１００１が、非線形であり、入力画素値に比べ出力画素値の方が大きく設定されているためである。即ち、プリント輝度のＭＡＸ値と、シーン輝度のＭＡＸ値がほぼ同じ輝度値（１０００［ｃｄ／ｍ２］程度）にもかかわらず、従来から好ましいとされる入出力特性ガンマカーブ（Ｓ字）により、プリント輝度の輝度値の方が明らかに大きく設定されるためである。これにより、印刷物は、露出を数段分、オーバーさせて撮影されたかのように見える。即ち、照明強度によって、印刷物の明るさが異なって見える（見た目が異なって知覚される）。
【００２０】
そして、この印刷物の明るさが異なって見える（知覚される）ことを回避するには、照明強度に応じて、プリントの輝度特性がどのようになるか、予測しておくことが必要である。なお、プリントの輝度特性は、少なくとも、プリントの拡散反射特性、及び照明強度から予測することができる。加えて、プリントの輝度特性は、プリントの鏡面反射特性及び光源分布を用いると、さらに高精度で予測することができる。
【００２１】
以下、実施形態１では、照明装置における照明の強度の最大値を照明強度として設定し、また、予め計測されたプリントの拡散反射特性を用いることで、観察者により知覚されるプリント輝度を予測する。加えて、観察環境に応じて、印刷出力用の画像データ及び照明出力用の画像データを生成するための画像処理について説明する。
【００２２】
［実施形態１］
（装置の構成）
図２は、本実施形態に係る画像処理装置のブロック図である。画像処理装置１００は、図２に示すように、入力部１０１、表示部１０２、記憶部１０３、ＣＰＵ１０４、ＲＯＭ１０５、ＲＡＭ１０６、通信部１０７、プリント画像出力部１０８、照明画像出力部１１２を備える。また、それらは、システムバス１０９により通信可能に接続される。
【００２３】
なお、画像処理装置１００は、パーソナルコンピュータ、タブレット、スマートフォン等のコンピュータ機器に、後述する画像処理を実現するためのプログラムを供給することで実現される。
【００２４】
入力部１０１は、ＵＳＢ（Universal Serial Bus）等のシリアルバスインタフェースである。入力部１０１には、キーボードやマウスの入力デバイス、メモリカードリーダ、ディジタルカメラやスキャナ等の画像入力デバイスが接続される。
【００２５】
表示部１０２は、モニタ等であり、ＣＰＵ１０４により入力部１０１を介して入力されたユーザ指示や画像データ、また、グラフィカルユーザインタフェース（ＧＵＩ）、画像処理の処理経過や処理結果等を表示する。なお、上述のように、画像処理装置１００としてタブレットやスマートフォンが利用される場合、入力部１０１と表示部１０２は積層されてタッチパネルとして構成される。
【００２６】
記憶部１０３は、各種プログラムや様々なデータが格納されるハードディスクドライブ（ＨＤＤ）やソリッドステートドライブ（ＳＳＤ）等の記録媒体である。なお、記憶部１０３に格納されるプログラムには、後述する画像処理を実現するためのプログラムが含まれる。
【００２７】
ＣＰＵ（Central Processing Unit）１０４は、ＲＡＭ１０６をワークメモリとして、記憶部１０３やＲＯＭ１０５に格納されたＯＳ（Operating System）や各種プログラムを実行する。また、ＣＰＵ１０４は、通信部１０７を経由してネットワーク１１０上のサーバ装置や他のコンピュータ機器等と通信する。具体的には、ＣＰＵ１０４は、ネットワーク１１０上のサーバ装置や他のコンピュータ機器等から、様々なプログラムやデータを受け取って処理を実行したり、処理結果のデータをネットワーク１１０上のサーバ装置や他のコンピュータ機器に提供したりする。なお、ＣＰＵ１０４が通信可能なコンピュータ機器にはプリント画像出力装置１１１も含まれ、通信部１０７を介することにより、プリント画像出力装置１１１や照明装置１１３に画像データを出力することもできる。その他、ＣＰＵ１０４は、システムバス１０９を介して後述する構成を制御する。
【００２８】
ＲＯＭ（Read Only Memory）１０５は、上述のように、ＯＳや各種プログラムを記憶する。ＲＡＭ（Random Access Memory）１０６は、ＣＰＵ１０４が動作するためのワークメモリとして、また、画像データを一時記憶するための画像メモリとして用いられる。
【００２９】
通信部１０７は、Ｅｔｈｅｒｎｅｔ（登録商標）、Ｂｌｕｅｔｏｏｔｈ（登録商標）、Ｗｉ−Ｆｉ（登録商標）、Ｐ２Ｐ等の有線、又は無線ネットワーク等の無線に接続するためのネットワークインタフェースである。
【００３０】
プリント画像出力部１０８は、ＵＳＢ等のシリアルバスインタフェースであり、シリアルバスに接続されたプリント画像出力装置１１１やメモリカードライタに画像データ等を出力する。
【００３１】
照明画像出力部１１２は、ディスプレイポート等に接続され、局所的に照明強度を制御可能な照明装置１１３に、画像データ等を出力する。また、照明装置１１３に関して、プロジェクタ等の画像表示装置を、照明装置１１３に代替するものとして用いることもできる。
【００３２】
なお、本実施形態では、後述するように、プリント画像出力装置（画像印刷装置）１１１で出力（形成）された画像データに、照明装置１１３より出力される画像データを重畳させて、画像を出力する。また、図２では、画像処理装置１００とプリント画像出力装置１１１、照明装置１１３が別体に構成された例を示したが、本発明に関して、画像処理装置１００及びプリント画像出力装置１１１を一体に構成した画像形成装置に適用することができる。加えて、画像処理装置１００、プリント画像出力装置１１１、及び照明装置１１３を一体に構成した画像表示装置に適用することもできる。
【００３３】
（プリント画像出力装置と照明装置の画像データの重畳）
本実施形態では、上述のように、プリント画像出力装置１１１で出力（形成）された画像データに、照明装置１１３より出力される画像データを重畳して画像を出力する。そして、このように、重畳して画像を出力することで、出力画像の輝度レンジを拡大している。
【００３４】
この重畳して画像を出力することで、出力画像の輝度レンジを拡大することに関して、図２０を用いて説明を補足する。図２０は、出力画像とその出力画像の輝度範囲の関係を示す図である。
【００３５】
図２０（ａ）は、一般的な照明下でのプリント画像出力装置１１１による出力画像とその出力画像の輝度範囲の関係を示す図である。図２０（ａ）に示されるように、一般的な照明下でのプリント画像出力装置１１１による出力画像は、最高輝度が約１００［ｃｄ／ｍ２］程度の暗い輝度範囲となる。
【００３６】
また、図２０（ｂ）は、一般的な照明下での照明装置１１３による出力画像とその出力画像の輝度範囲の関係を示す図である。図２０（ｂ）に示されるように、一般的な照明下での照明装置１１３による出力画像は、最高輝度が１０００［ｃｄ／ｍ２］以上を有し、最低輝度も１００［ｃｄ／ｍ２］程度と、明るい輝度範囲となる。
【００３７】
以上、図２０（ａ）及び（ｂ）に示されるように、プリント画像出力装置１１１は、照明装置に比べ暗部の表現に有利である。他方、照明装置１１３は、明部の表現に有利である。
【００３８】
そこで、本実施形態では、暗部、明部の双方の表現性を高めるために、上記のような装置の特性を利用して、プリント画像出力装置１１１で出力された画像データと、照明装置１１３で出力された画像データを重畳させる。図２０（ｃ）は、図２０（ａ）の画像データと図２０（ｂ）の画像データを重畳させて示した図である。このように重畳させることで、プリント画像出力装置の有利な暗部と、照明装置の有利な明部の表現を両立し、出力画像の輝度レンジを拡大することができる。
【００３９】
（画像処理装置の機能構成）
次に、図３を用いて、画像処理装置１００の機能構成を説明する。図３は、画像処理装置１００の機能ブロック図である。なお、図３に示す機能は、これらの機能を実現するためのプログラムを、図２に示す画像処理装置１００に供給し、さらに、画像処理装置１００が実行することで実現される。
【００４０】
画像データ入力部２０１は、ユーザからの指示により画像データの入力を受け付けると、その入力された画像データを、ＲＡＭ１０６等に割り当てられた所定のバッファに格納する。輝度変換特性入力部２０２は、画像データ入力部２０１により入力された画像データの画素値を、輝度リニアな画素値に変換するための特性を受け付ける（取得する）。
【００４１】
なお、輝度変換特性として、入力画像データを輝度リニアな画像データ（画素値）に変換するためのルックアップテーブルを用いることもできる。また、入力画像データが輝度に対して公知のγ値を有する場合には、そのγ値を逆γ変換した値を保持しておけば足りる。例えば、画像データ入力部２０１に入力された画像データが、ｓＲＧＢ画像であると仮定する。その場合、ｓＲＧＢ画像は、輝度に対してγ＝０．４５がかかっていることが公知であるため、輝度変換特性入力部２０２には、その逆のγ＝２．２を入力し、画像処理装置１００に保持させればよい。いずれにしても、画像データ入力部２０１に入力される画像は、被写体の輝度値との対応関係が既知な入力画像データであればよい。
【００４２】
輝度算出部２０３は、輝度変換特性入力部２０２に入力された輝度変換特性を用いて、画像データ入力部２０１に入力された画像データを、輝度リニアな画像データ（画素値）に変換する。ここで、画像データ入力部２０１に入力される画像データに関して、被写体の輝度値との対応関係が既知な画像データであればよい。そして、輝度算出部２０３は、その対応関係に基づいて、輝度値に対して概ねリニアとみなせる画像データに変換できればよい。なお、画像データ入力部２０１に入力された画像データに関して、輝度値に対して概ねリニアと見做すことができれば、輝度変換特性入力部２０２、輝度算出部２０３は必須の構成（機能）とはならない。
【００４３】
観察条件取得部２０４は、後述の図７に示すＧＵＩを用いて、ユーザにより設定された観察条件を取得する。拡散反射特性取得部２０５は、例えば、測色器又は変角測定器により、プリント画像出力装置１１１が出力した画像の拡散反射特性を取得する。反射特性保持部２０６は、拡散反射特性取得部２０５により取得された拡散反射特性（印刷物反射特性）を保持する。
【００４４】
ここで、図４を用いて、一般的な分光測色器による拡散反射特性の測定について説明する。分光測色器による測定では、図４に示されるように、印刷物３０１に対して入射角４５度の方向に照明光３０２を配置する。そして、照明光３０２から照射され、印刷物３０１で反射された光を反射角０度方向に配置した受光部３０３により受光する。このように測定することで、分光測色器の受光部３０３において、印刷物３０１の鏡面反射特性に応じた鏡面反射光３０５は測定されず、印刷物３０１の拡散反射光３０４のみ受光（測定）される。
【００４５】
本実施形態では、輝度リニアな入力ＲＧＢ画像（８ビット）をプリント画像出力装置１１１により階調変換して印刷し、そして、その印刷（出力）されたパッチから反射される光を分光測色器で測定することで、拡散反射特性として取得する。なお、階調変換に関して、具体的には、プリンタ階調変換部２１３により、輝度リニアな画像（白（（Ｒ、Ｇ、Ｂ）＝（２５５、２５５、２５５））から黒（（Ｒ、Ｇ、Ｂ）＝（０、０、０）））に対して、プリンタガンマテーブル２１２を用いて実行される。
【００４６】
ここで、プリンタガンマテーブル（プリンタ階調変換特性）２１２を用いた階調変換処理に関して説明を補足する。図１８は、プリンタガンマテーブル２１２を示す図である。図１８に示すプリンタガンマテーブル２１２は、通常の照明強度、即ち、３００−１０００［ｌｘ］において、好ましい画像が出力されるように設定される。具体的には、通常の照明強度において、肌等の重要領域（５００２）の輝度レンジ以下で、シーン輝度とプリント輝度とが線形性を保った状態で、画作りがなされるように設定される。そのため、プリンタガンマテーブル２１２は、図１８に示されるように、線形性（線形関係）を有さず、即ち、ハイライト部（５００１）・シャドウ部（５００３）において圧縮され、従来から好ましいとされるガンマカーブ（Ｓ字）形状で設定される。
【００４７】
そして、上述のように、このようなプリンタガンマテーブル２１２で階調変換された画像データに、プリント処理部２１４によりプリント処理を施すことで出力された印刷物に関して、拡散反射特性を取得する。なお、取得された拡散反射特性は、印刷物反射特性として、反射特性保持部２０６に格納される。また、反射特性保持部２０６は、例えば、記憶部１０３等に割り当てられる。
【００４８】
本実施形態では、入力画像データの最明部（即ち、最大輝度の画像データから形成される白パッチ）から最暗部（即ち、最小輝度の画像データから形成される黒パッチ）を５等分した印刷物反射特性を取得する。具体的には、輝度リニアな入力ＲＧＢ画像を、グレイラインにおいて均等に５等分し、さらに、プリンタガンマテーブル２１２を用いて、プリンタ階調変換部２１３により階調変換することで、各々の画像データに関する印刷物反射特性を取得する。即ち、輝度リニアな入力画像（Ｒ、Ｇ、Ｂ）＝（２５５、２５５、２５５）・・・（０、０、０）の５パッチに対して、プリンタガンマテーブル２１２を用いて階調変換することで、各々の画像データに関する印刷物反射特性を取得する。
【００４９】
なお、印刷物反射特性を取得する画像（パッチ）の数は、必ずしも、これに限定されない。したがって、例えば、全てのＲＧＢ値（２５６×２５６×２５６≒１６００万）に対して、また、０−２５５のＲＧＢ値を均等に９個に間引きしたＲＧＢ値（９×９×９＝７２９）に対して、印刷物反射特性を取得することもできる。
【００５０】
次に、図５を用いて、反射特性保持部２０６に保持される印刷物反射特性について説明する。図５は反射特性保持部２０６に保持される印刷物反射特性を示す図であり、より詳細には、輝度リニアな入力画像に対応する拡散反射特性のＣＩＥＸＹＺ値を、テーブルとして保持する例を示している。
【００５１】
なお、補足として、入力画像は輝度リニアな画像であるが、プリンタガンマテーブル２１２を用いて階調変換を施すことから、取得される拡散反射特性（印刷物反射特性）は輝度リニアにはならない。また、ＣＩＥＸＹＺ値の代わりに、ＣＩＥＬＡＢ値を用いることも、輝度値Ｙのみを用いることもできる。
【００５２】
図３に戻り、プリント輝度値予測部２０７は、観察条件取得部２０４により取得した照明強度と、反射特性保持部２０６が保持する印刷物反射特性から、観察環境における印刷物の拡散反射光の輝度を算出（予測）する。目標輝度特性設定部２０８は、プリント輝度値予測部２０７で予測されたプリント輝度に基づいて、再現すべき目標輝度特性を設定する。なお、後述するように、輝度の代わりに彩度を用いる場合、目標輝度特性設定部２０８は、目標彩度特性設定部として、再現すべき目標彩度特性を設定する。
【００５３】
照明変換特性設定部２０９は、目標輝度特性設定部２０８で設定された目標輝度特性と、プリント輝度値予測部２０７で予測されたプリント輝度との差分に基づいて、照明装置１１３に出力する画像データに変換するための変換特性を設定する。
【００５４】
照明階調変換部２１０は、輝度算出部２０３より出力された輝度リニアな画像データに対して、照明変換特性設定部２０９で設定された変換特性を用いて、階調変換する。
【００５５】
照明処理部２１１は、照明階調変換部２１０で変換された画像に対して、照明装置用の処理を施した上で、照明用の画像データを出力する。なお、本実施形態では、上述の照明用の画像データの画素値と、照明装置で照射される照明の照明強度（照度［ｌｘ］）は線形（比例）関係にあるものとする。また、照明画像データは、照明画像出力部１１２を介して、照明装置１１３に供給され、照明装置１１３により照射が実行される。
【００５６】
プリンタ階調変換部２１３は、上述のように、輝度リニアな画像データを、プリンタガンマテーブル２１２を用いて階調変換する。プリント処理部２１４は、プリンタ階調変換部２１３により変換された画像データに対して、プリント用（印刷用）の処理を施した上で、プリント画像データを出力する。なお、本実施形態では、上述のプリント画像データの画素値と、印刷物の輝度は線形（比例）関係にあるものとする。また、プリント画像データは、プリント画像出力部１０８を介して、プリント画像出力装置１１１に供給され、画像形成処理が実行される。
【００５７】
（プリント処理部）
次に、図６を用いて、プリント処理部２１４の機能構成を説明する。図６は、プリント処理部２１４の機能ブロック図である。プリント処理部２１４は、その機能として、ＣＭＳ処理部４０１、色分解処理部４０２、ハーフトーン処理部４０３、カラープロファイル４０４、色分解テーブル４０５、及びハーフトーンパラメータ４０６を備える。
【００５８】
ＣＭＳ（Color Management System）処理部４０１は、予め設計されたカラープロファイル４０４を参照して、バッファに格納された画像データにカラーマッチング処理を施す。色分解処理部４０２は、予め設計された色分解テーブル４０５を参照して、カラーマッチング処理が施された画像データを、プリント画像出力装置１１１に搭載される記録材に色分解する。例えば、プリント画像出力装置１１１にＣＭＹＫＬｃＬｍの６色の記録材を搭載されている場合、ＲＧＢの画像データは、ＣＭＹＫＬｃＬｍの各記録材の量を示す記録材データに色分解される。
【００５９】
ハーフトーン処理部４０３は、ハーフトーンパラメータ４０６等の誤差拡散係数や閾値マトリクスを参照して、誤差拡散法、ディザ法等の二値化処理により、色分解された各記録材データを二値化する。なお、プリント画像出力装置１１１がインクジェットプリンタの場合、プリント画像出力装置１１１は、ハーフトーン画像データが入力されると、各記録材データに従って、対応するインクの吐出を制御して、記録媒体上に画像を形成する。
【００６０】
（照明処理部）
次に、図１９を用いて、照明処理部２１１の機能構成を説明する。図１９は、照明処理部２１１の機能ブロック図である。空間フィルタ処理部８０１は、予め設計されたフィルタテーブル８０３を参照して、バッファに格納された画像データに対して、鮮鋭性強調処理、鮮鋭性回復処理、ノイズリダクション処理のいずれかの処理を施す。
【００６１】
ＣＭＳ処理部８０２は、予め設計されたカラープロファイル８０４を参照して、バッファに格納された画像データにカラーマッチング処理を施す。例えば、照明装置１１３がプロジェクタの場合、照明装置１１３は、カラーマッチング処理が施された画像データが入力されると、画像データに従って、対応するカラーフィルタ像等を通したＲＧＢチャンネルに分版された画像を照射する。
【００６２】
（観察条件取得部）
次に、図７を用いて、観察条件取得部２０４により提供されるＧＵＩについて説明する。ユーザは、図７に示すＧＵＩを用いて、観察条件を設定する。ユーザは、図７に示すＧＵＩにおいて、印刷物上の照明強度を感覚的に入力する「候補選択」、照明強度を数値（物理値）で入力する「数値設定」をチェックボックスで選択する。
【００６３】
「候補選択」が選択された場合、その候補として例えば、とても明るい（昼間屋外）、明るい（美術館照明）、ふつう（オフィス）、やや暗い（一般家庭）等から、照明強度が選択される。「候補選択」として選択される候補には、その候補に対応した照度ルクスが設定され、例えば、普通（オフィス）が選択されると、８００［ｌｘ］が選択されたとして以後の処理が実行される。また、「数値設定」が選択された場合、テキストボックスに印刷物上の照明強度（照度ルクス［ｌｘ］の値）が入力されるか、スライダーバーを左右に移動させることにより、具体的な照明強度が選択される。以上により、観察条件取得部２０４で、印刷物上に照射される照明強度が取得及び設定される。
【００６４】
なお、本実施形態で使用する照明装置に関して、局所的に照明強度を制御することができるが、ここでの照明強度は、全面において照射可能な最大の照明強度で照らしたときの照明強度を、ユーザに選択させる。例えば、照明装置１１３がプロジェクタの場合、画像データとして全面において白（（Ｒ、Ｇ、Ｂ）＝（２５５、２５５、２５５））が設定された場合の照明強度がユーザにより選択される。即ち、照明装置１１３が、ハンディタイプやポケットに入るようなものであれば、画像データとして、全面において白（（Ｒ、Ｇ、Ｂ）＝（２５５、２５５、２５５））が設定された場合でも、３００［ｌｘ］程度の小さな照明強度しか得られない。他方、照明装置１１３が、会議室や美術館に備え付けられた照明装置であれば、画像データとして、全面において白（（Ｒ、Ｇ、Ｂ）＝（２５５、２５５、２５５））が与えられた場合、３０００［ｌｘ］程度の大きな照明強度を得ることができる。このように、使用する照明装置１１３により、得られる最大の照明強度は異なる。
【００６５】
また、上述の実施形態では、照明強度（輝度）として照度［ｌｘ］を用いて説明したが、照明輝度としては必ずしもこれに限定されず、例えば、輝度[ｃｄ／ｍ２]、[ｎｉｔ]を用いることもできる。その他、照明強度をより正確に入力させるために、掲示される印刷物上で照度計による照度測定が必要である旨、ＧＵＩ上に記載してもよい。
【００６６】
（画像処理）
次に、図８を用いて、画像処理装置１００における画像処理について説明する。図８は、画像処理装置１００における画像処理の手順を示すフローチャートである。輝度算出部２０３は、輝度変換特性入力部２０２に入力された輝度変換特性を用いて、画像データ入力部２０１に入力された画像データを輝度リニアな画像データに変換する（Ｓ５０１）。
【００６７】
観察条件取得部２０４は、ユーザにより選択された観察条件（照明強度 Ｌｔ［ｌｘ］）を取得する（Ｓ５０２）。上述のように、ここでの照明強度 Ｌｔは、照明装置１１３において照射することが可能な最大の照明強度で照らしたときの値（照明強度）を取得する。例えば、照明装置１１３がプロジェクタの場合、画像データとして、全面において白（（Ｒ、Ｇ、Ｂ）＝（２５５、２５５、２５５））が設定された場合の照明強度が取得される。
【００６８】
プリント輝度値予測部２０７は、観察条件取得部２０４により観察条件が取得されると（Ｓ５０２）、拡散反射特性（Ｐｄ）を反射特性保持部２０６から取得する（Ｓ５０３）。プリント輝度値予測部２０７は、取得された観察条件（照明強度 Ｌｔ［ｌｘ］）と、拡散反射特性（Ｐｄ）に基づいて、印刷物の拡散反射光の輝度Ｃｄを算出する（Ｓ５０４）。
【００６９】
なお、印刷物の拡散反射光の輝度Ｃｄは次式で算出される。
【００７０】
【数１】
2019096928.tif 000003
【００７１】
ここで、πは円周率を、ＰｄＹは拡散反射特性の三刺激値ＸＹＺにおけるＹ成分を示す。
【００７２】
プリント輝度値予測部２０７は、拡散反射光の輝度Ｃｄを、全てのパッチに対して、算出したか否かを判定する（Ｓ５０５）。そして、拡散反射光の輝度Ｃｄの算出が全てのパッチに対して終了していないと判定されると（Ｓ５０５ Ｎｏ）、画像処理装置１００は、処理をステップＳ５０４に返し、全てのパッチに対して、拡散反射光の輝度Ｃｄを算出する。
【００７３】
上述のように、本実施形態では、グレイラインにおいて均等に５等分した入力ＲＧＢ画像（輝度リニア）を、プリンタガンマテーブル２１２を用いて、プリンタ階調変換部２１３により階調変換することで、各々の画像データに関する拡散反射特性が取得する。即ち、輝度リニアな入力画像（Ｒ、Ｇ、Ｂ）＝（２５５、２５５、２５５）・・・（０、０、０）の５パッチに対して、プリンタガンマテーブル２１２を用いて階調変換することで、各々の画像データに関する印刷物反射特性を取得する。
【００７４】
目標輝度特性設定部２０８は、プリント輝度値予測部２０７により印刷物の拡散反射光の輝度Ｃｄが算出されると、その算出された印刷物の拡散反射光の輝度Ｃｄに基づいて、印刷物として再現すべき目標輝度特性を設定（導出）する（Ｓ５０６）。
【００７５】
目標輝度特性は、プリント輝度特性の再現範囲が異なる場合において、再現範囲が相対的に小さい場合の出力輝度の線形領域における傾きと、再現範囲が相対的に大きい場合の出力輝度の線形領域における傾きとが一致するように設定される。
【００７６】
以下、プリント輝度特性の再現範囲を、プリント輝度の最大値とプリント輝度の最小値の差として考えると、照明強度［ｌｘ］が大きくなる場合は、一般的に、プリント輝度特性の再現範囲が大きくなる。
【００７７】
ここで、例えば、図５のように、プリントの拡散反射特性ＰｄＹが、０．７７−９０．３の範囲を有する印刷物に、照明強度［ｌｘ］として、例えば、３００、３０００のように１０倍異なる照明を照射することを想定する。そして、プリントの輝度特性の再現範囲を、式（１）より算出する。
【００７８】
照明強度が３００［ｌｘ］の場合、プリントの輝度特性Ｃｄは、０．７−８６．３［ｃｄ／ｍ２］となり、（プリント輝度の最大値）−（プリント輝度の最小値）は８５．６となる。他方、照明強度が３０００［ｌｘ］の場合、プリントの輝度特性Ｃｄは、７．４−８６２［ｃｄ／ｍ２］となり、（プリント輝度の最大値）−（プリント輝度の最小値）は８５５となる。即ち、照明強度［ｌｘ］が大きくなるほど、プリント輝度特性の再現範囲が大きくなる。
【００７９】
なお、プリント輝度特性の再現範囲は、プリント輝度の最大値から、概ね算出することも可能である。このように算出できる理由は、プリント輝度の最小値がプリント輝度の最大値に対して十分小さく、また、プリント輝度特性の再現範囲をプリント輝度の最大値で計算しても同様の値になることが多いためである。
【００８０】
加えて、上述の内容を踏まえ、プリント輝度特性の再現範囲が異なる場合において、再現範囲が相対的に小さい場合の出力輝度の線形領域における傾きと、再現範囲が相対的に大きい場合の出力輝度の線形領域における傾きとが一致するように設定される。
【００８１】
次に、図９を用いて、目標輝度特性の設定について説明する。図９は、照明強度に応じて予測されるパッチのプリント輝度予測値Ｃｄと、プリント輝度予測値に基づいて設定された目標輝度特性Ｔ_Ｃｄを示す。
【００８２】
図９において、プリント輝度予測値Ｃｄは、拡散反射特性のＹ値（ＰｄＹ）と照明強度Ｌｔ［ｌｘ］とから、式（１）に基づいて算出される。式（１）に基づくと、図９において、照明強度：通常（３００［ｌｘ］）の場合、パッチのプリント輝度予測値Ｃｄの最大値Ｃｄ_Ｍａｘ（２００１）は、約１００［ｃｄ／ｍ２］となる。他方、照明強度：強（３０００［ｌｘ］）の場合、パッチのプリント輝度予測値Ｃｄの最大値Ｃｄ_Ｍａｘ（２００２）は、約１０００［ｃｄ／ｍ２］となる。
【００８３】
なお、上述のように、照明強度：通常（３００［ｌｘ］）の場合に用いられる照明装置は、例えば、ハンディタイプの簡易的な照明である。他方、照明強度：強（３０００［ｌｘ］）の場合に用いられる照明装置は、比較的大型な照明である。
【００８４】
照明強度：通常（３００［ｌｘ］）における目標輝度特性Ｔ_Ｃｄは、シャドウ部から中間調部（入力画素値が６４（２００５）よりも小さい領域）にかけて線形特性を有する。また、中間調部からハイライト部（入力画素値が６４（２００５）よりも大きい領域）は変換特性が曲がり、非線形特性を有する（２００３）。他方、照明強度：強（３０００［ｌｘ］）における目標輝度特性Ｔ_Ｃｄは、シャドウ部からハイライト部まで線形特性を有する（２００４）。
【００８５】
このように、プリント輝度特性の再現範囲が異なる場合において、再現範囲が相対的に小さい場合の出力輝度の線形領域における傾きと、再現範囲が相対的に大きい場合の出力輝度の線形領域における傾きが一致するように設定される。また、予測されたプリント輝度特性の再現範囲が大きくなるほど、目標輝度特性に関して、線形領域が増加するように設定される。
【００８６】
その他、上述の例では、照明強度：強（３０００［ｌｘ］）の場合において、目標輝度特性がシャドウ部からハイライト部まで線形特性を有する例を示したが、目標輝度特性は、必ずしもこれに限定されない。したがって、例えば、照明強度が３０００［ｌｘ］よりも小さい照明強度（例えば、１０００［ｌｘ］）において、目標輝度特性が、シャドウ部からハイライト部まで、線形特性を有するようにしてもよい。また、逆に、照明強度が３０００［ｌｘ］よりも大きな照明強度（例えば、５０００［ｌｘ］）において、ハイライト部（即ち、入力画素値が１２８よりも大きい領域）で、非線形特性を有するようにしてもよい。いずれにしても、プリント輝度特性の再現範囲が異なる場合において、再現範囲が相対的に小さい場合の目標輝度特性の線形領域における傾きと、再現範囲が相対的に大きい場合の目標輝度特性の線形領域における傾きとが一致するように設定されればよい。
【００８７】
補足として、線形領域、非線形領域の区別は、前後画素値の差分（微分）等の特徴量の変化により判定することができる。例えば、目標輝度特性をシャドウ部（画素値０）から順に、前後画素値の差分を算出する。そして、この前後画素値の差分が一定であれば、線形と見做す。また、差分値ΔＴが所定量よりも大きい、又は所定量よりも小さい場合は、非線形と見做す。したがって、例えば、線形領域、非線形領域の区別において、差分値の変化ΔＴが３以上、又は差分値の変化ΔＴが１／３以下となる場合に、非線形領域として判定する。
【００８８】
次に、図１０を用いて、目標輝度特性設定部２０８における目標輝度特性Ｔ_Ｃｄの設定方法について説明する。目標輝度特性設定部２０８により設定される目標輝度特性Ｔ_Ｃｄは、予め用意した２つの異なるテーブル（Ｔｂｌ_１、Ｔｂｌ_２）と、プリント輝度予測値Ｃｄの最大値Ｃｄ_Ｍａｘ［ｃｄ／ｍ２］に応じた重み付けα値の関数から算出される。
【００８９】
この２つの異なるテーブルは、非線形性（ΔＴが３以上又は１／３以下）を有するＴｂｌ_１（３００１）とシャドウ部からハイライト部まで線形性を有するＴｂｌ_２（３００２）であり、出力輝度の線形領域における傾きが一致するように設定される。また、関数として、プリント輝度予測値Ｃｄの最大値Ｃｄ_Ｍａｘ［ｃｄ／ｍ２］に応じた重み付けα値が、Ｃｄ_Ｍａｘと直線関係（３００３）にあるものを用いる。即ち、プリント輝度予測値Ｃｄの最大値Ｃｄ_Ｍａｘが大きな値をとれば、重み付けα値も大きくなるように設定される。
【００９０】
上述の前提において、目標輝度特性設定部２０８における目標輝度特性Ｔ_Ｃｄは、次式で算出される。
【００９１】
【数２】
2019096928.tif 000004
【００９２】
なお、Ｉｎは、入力画素値（０≦Ｉｎ≦２５５）である。また、Ｔｂｌ_１（Ｉｎ）は、入力画素値ＩｎにおけるＴｂｌ_１の輝度値、Ｔｂｌ_２（Ｉｎ）は、入力画素値ＩｎにおけるＴｂｌ_２の輝度値である。そして、重み付けα値を、α＝０．００（３００４）、α＝０．３３（３００５）、α＝０．６６（３００６）、α＝１．００（３００７）と変動させた場合の、上式により算出された目標輝度特性Ｔ_Ｃｄを、図１０の下段に示す。
【００９３】
図１０に示されるように、α値を変動した場合であっても（プリント輝度の再現範囲を変動した場合であっても）、入力画素値Ｉｎと目標輝度特性Ｔ_Ｃｄが直線関係を有する領域において、その傾きは一致していることがわかる。即ち、プリント輝度特性の再現範囲が異なる場合において、再現範囲が相対的に小さい場合の出力輝度の線形領域における傾きと、再現範囲が相対的に大きい場合の出力輝度の線形領域における傾きとが一致するように設定される。
【００９４】
なお、図１０では、２つの異なるテーブルを用いることで、プリント輝度特性の再現範囲が異なる場合においても、出力輝度の線形領域における傾きが一致するように、目標輝度特性Ｔ_Ｃｄを設定する例を示した。しかしながら、目標輝度特性Ｔ_Ｃｄの設定に関して、必ずしも上述の方法に限定されず、例えば、目標輝度特性Ｔ_Ｃｄをスプライン関数で定義し、出力輝度の線形領域における傾きが一致するようにスプライン関数の曲線を設定してもよい。
【００９５】
ここで図８に戻り、照明変換特性設定部２０９は、プリント輝度値予測部２０７で予測されたパッチのプリント輝度予測値Ｃｄと、目標輝度特性設定部２０８で設定された目標輝度特性Ｔ_Ｃｄとを用いて、変換特性Ｏｕｔ_Ｔｂｌを設定する（Ｓ５０７）。変換特性Ｏｕｔ_Ｔｂｌは、プリント輝度予測値Ｃｄが目標輝度特性Ｔ_Ｃｄとなるように設定される。
【００９６】
ここで、再度、図９を参照し、プリント輝度予測値Ｃｄと目標輝度特性Ｔ_Ｃｄを比較する。図９において、照明強度： 通常（３００［ｌｘ］）の場合のプリント輝度予測値Ｃｄと目標輝度特性Ｔ_Ｃｄの傾向を比較するグラフが２００６である。また、照明強度： 強（３０００［ｌｘ］）の場合のプリント輝度予測値Ｃｄと目標輝度特性Ｔ_Ｃｄの傾向を比較するグラフが２００７である。
【００９７】
図９の符号２００６と符号２００７に示されるように、照明強度： 通常（３００［ｌｘ］）の場合、プリント輝度予測値Ｃｄと目標輝度特性Ｔ_Ｃｄはほぼ重なることがわかる。他方、照明強度： 強（３０００［ｌｘ］）の場合、プリント輝度予測値Ｃｄに対して、目標輝度特性Ｔ_Ｃｄが小さくなることがわかる。
【００９８】
ここで、プリント輝度予測値Ｃｄは、上式（１）に示されるように、照明強度Ｌｔ［ｌｘ］と比例関係にある（即ち、照明強度Ｌｔを半分にすればプリント輝度予測値Ｃｄも半分になり、照明強度Ｌｔを倍にすればプリント輝度予測値Ｃｄも倍になる）。
【００９９】
したがって、グラフ２００６、２００７における階調毎の目標輝度特性Ｔ_Ｃｄに対するプリント輝度予測値Ｃｄの比に基づいて、変換特性Ｏｕｔ_Ｔｂｌを設定すれば、全階調においてプリント輝度値を目標輝度特性に近付けることができる。
【０１００】
そのため、変換特性Ｏｕｔ_Ｔｂｌは、次式で設定される。なお、Ｉｎは入力画素値（０≦Ｉｎ≦２５５）、Ｔ_Ｃｄ（Ｉｎ）は入力画素値Ｉｎにおける目標輝度特性、Ｃｄ（Ｉｎ）は入力画素値Ｉｎにおけるプリント輝度予測値である。
【０１０１】
【数３】
2019096928.tif 000005
【０１０２】
照明強度： 通常（３００［ｌｘ］）の場合の変換特性Ｏｕｔ_Ｔｂｌは図９における２００８として、また、照明強度： 強（３０００［ｌｘ］）の場合の変換特性Ｏｕｔ_Ｔｂｌは図９における２００９として示される。照明強度： 通常（３００［ｌｘ］）に関して、図９の２００８より、入力画像データにおける一部の小さな値を除いて、照明処理部２１１に設定される照明画像データは（Ｒ、Ｇ、Ｂ）＝（２５５、２５５、２５５）となることがわかる。他方、照明強度：強（３０００［ｌｘ］）に関して、図９の２００９より、入力画像データに応じて、照明処理部２１１に設定される照明画像データは、照明強度：通常（３００［ｌｘ］）に比べて小さくなることがわかる。
【０１０３】
ここで図８に戻り、照明階調変換部２１０は、照明変換特性設定部２０９により設定された変換特性Ｏｕｔ_Ｔｂｌを用いて、輝度算出部２０３で算出された画像データを階調変換し、照明処理部２１１に出力する（Ｓ５０８）。これにより、図８に示す画像処理を終了する（Ｓ５０８）。
【０１０４】
以上、説明したように、本実施形態では、照明として、局所的に照明強度を制御可能な照明装置を用いる。そして、この照明装置の最大の照明強度と、予め計測されたプリントの拡散反射特性とを用いて、観察者が知覚するプリント輝度を予測する。加えて、予測されたプリント輝度特性の再現範囲が異なる場合において、出力輝度の線形領域でその傾きが一致するように、照明装置の局所照明制御のための画像データを変更することを示した。
【０１０５】
なお、上述の実施形態では、予測されたプリント輝度特性に基づいて、出力輝度の線形領域における傾きが一致するように、輝度の変換特性を設定した。しかしながら、図５に示した拡散反射特性の三刺激値ＰｄＸ、ＰｄＹ、ＰｄＺから、プリントの彩度を予測してもよい。そして、予測されたプリント彩度特性の再現範囲が異なる場合において、出力彩度の線形領域における傾きが一致するように、変換特性を設定してもよい。
【０１０６】
［実施形態２］
上述の実施形態１では、予測されたプリント輝度特性の再現範囲が異なる場合において、出力輝度の線形領域における傾きが一致するように輝度の変換特性を設定した。また、この変換特性は、プリント輝度予測値Ｃｄが異なる２つのテーブルの合成（式（２））に基づいて算出された目標輝度特性Ｔ_Ｃｄ（図１０）になるように設定された。
【０１０７】
しかしながら、上述の方法により設定された目標輝度特性は、プリント輝度特性の再現範囲が異なる場合であっても、出力輝度特性が直線から曲線になる領域（非線形になる領域）は同じであった。具体的には、例えば、図１０に示すＴｂｌ_１（３００１）の出力輝度特性では、入力画素値Ｉｎが１０付近、出力輝度Ｔｂｌ_１が２０［ｃｄ／ｍ２］付近（３００８）で、出力輝度特性が直線から曲線になっている。また、これら、出力輝度特性が直線から曲線になる領域は、プリント輝度特性の再現範囲が異なる場合（３００８−３０１１）でも同じであった。即ち、出力輝度特性の線形領域は同じであった。
【０１０８】
但し、プリント輝度特性の再現範囲が異なる場合において、出力輝度特性の線形領域が、同じである必要性はない。寧ろ、プリント輝度の再現範囲が大きくなるにつれて、出力輝度特性の線形領域を増加させる方が、入力情報に対応した出力輝度情報をより正確に表現できるはずである。
【０１０９】
そこで、本実施形態では、プリント輝度特性の再現範囲が異なる場合において、再現範囲が相対的に大きくなる場合に、出力輝度の線形領域が大きくなるように、出力輝度の変換特性を設定する。なお、本実施形態では、図８に示すフローチャートのステップＳ５０６の処理以外は、実施形態１と同様であることから、ここでは、その説明を省略する。
【０１１０】
実施形態１では、ステップＳ５０６において、プリント輝度値予測部２０７により算出された印刷物の拡散反射光の輝度Ｃｄに基づいて、印刷物として再現すべき目標輝度特性を設定した。本実施形態では、出力輝度の線形領域の大きさが異なる目標輝度特性Ｔ_Ｃｄを２つ以上用意して、プリント輝度予測値Ｃｄの最大値Ｃｄ_Ｍａｘに対応して切り替える。具体的には、出力輝度の線形領域の大きさが異なる目標輝度特性Ｔ_Ｃｄを、例えば、図１６に示すように４つ用意して、プリント輝度予測値Ｃｄの最大値Ｃｄ_Ｍａｘに対応させて目標輝度特性Ｔ_Ｃｄを切り替える。
【０１１１】
図１６はプリント輝度最大値に対応する目標輝度特性Ｔ_Ｃｄを示しており、図１６において、例えば、プリント輝度最大値「Ｃｄ_Ｍａｘ＜ １００」の場合に目標輝度特性としてＴ_Ｃｄ_１（４００１）を割り当てる。同様に、「１００≦Ｃｄ_Ｍａｘ＜２００」の場合にＴ_Ｃｄ_２（４００２）、「２００≦Ｃｄ_Ｍａｘ＜５００」の場合にＴ_Ｃｄ_３（４００３）、「５００≦Ｃｄ_Ｍａｘ」の場合にＴ_Ｃｄ_４（４００４）を割り当てる。
【０１１２】
図１６において、図中の４００５−４００７からわかるように、目標輝度特性Ｔ_Ｃｄは、プリント輝度特性の再現範囲が大きいほど、出力輝度の線形領域が大きくなるように設定されていることがわかる。
【０１１３】
なお、図１６では、予測されたプリント輝度特性に基づいて、出力輝度の線形領域が大きくなるように、輝度の変換特性を設定した。しかしながら、予測されたプリント彩度特性に基づいて、出力彩度の線形領域が大きくなるように、彩度の変換特性を設定してもよい。
【０１１４】
以上、説明したように、本実施形態では、プリント輝度特性の再現範囲が異なる場合において、再現範囲が相対的に大きくなる場合に、出力輝度の線形領域が大きくなるように、出力輝度の変換特性を設定する。これにより、プリント輝度の再現範囲が異なった場合においても、入力情報に対応した出力輝度情報をより正確に表現することができる。
【０１１５】
［実施形態３］
上述の実施形態１、２では、照明装置における局所照明制御のための画像データの変換特性を、照明強度から予測されるプリント輝度（彩度）の再現範囲に応じて、「出力輝度の線形領域における傾きが一致する」ように設定する例として示した。また、同時に、照明装置における局所照明制御のための画像データの変換特性を、照明強度から予測されるプリント輝度（彩度）の再現範囲に応じて、「入力画像の輝度（彩度）に対する線形領域が増加する」ように設定する例としても示した。
【０１１６】
但し、照明強度だけではプリント輝度を予測できない場合がある。以下、この照明強度だけではプリント輝度を予測できない場合について、図１１を用いて例示する。図１１は、一般的な観察環境に配置された印刷物から反射される光が観察者の目に受光される様子について示す図である。
【０１１７】
図１１において、観察位置６０１は照明６０４の正反射方向に相当し、観察位置６０１において、印刷物６０３に照明像の写り込んだ光（鏡面反射光）が観察者の目に到達する。ここで、鏡面反射光の強度が強過ぎると、観察者は印刷物６０３の色を認識できないため、観察者は、観察位置６０１から、鏡面反射光が目に入らない観察位置６０２に移動して、印刷物６０３を観察することになる。
【０１１８】
但し、図１１を参照すると、観察位置６０２と印刷物６０３の位置関係に対応する正反射方向には壁６０６が存在する。即ち、観察位置６０２と印刷物６０３の位置関係に対応する正反射方向には、壁６０６が存在する。そのため、照明６０４の光は、壁６０６に反射されて印刷物６０３に到達し、さらに、印刷物６０３の鏡面反射特性に応じた鏡面反射光として観察者の目に受光され、観察者にプリント輝度として認識される。
【０１１９】
この壁６０６からの反射光は、照明６０４から直接、印刷物６０３に到達する光に比べると弱いが、観察位置６０２において、印刷物６０３の色が認識できなくなるような強度ではない。その他、正反射方向以外の様々な方向からの光、例えば、照明６０５からの光も印刷物６０３に到達すると、それらの光は印刷物６０３の拡散反射特性に応じた拡散反射光として観察者の目に受光され、プリント輝度として認識される。
【０１２０】
このように、観察者の目は、観察位置と印刷物の位置関係に正対する入射角方向の輝度が印刷物６０３の鏡面反射特性に応じて反射されたプリント輝度と、入射角方向以外からの光が印刷物６０３の拡散反射特性に応じて反射されたプリント輝度を受光する。即ち、観察者の目は、拡散反射に基づくプリント輝度と、鏡面反射に基づくプリント輝度を受光する。
【０１２１】
ここで、上述の実施形態１では、観察位置と印刷物（サンプル）の位置関係に正対する入射角方向以外からの光（照明強度）の拡散反射に基づくプリント輝度のみを考慮した。即ち、実施形態１では、観察位置と印刷物の位置関係に正対する入射角方向の輝度（天井及び壁の明るさ）の鏡面反射に基づくプリント輝度を考慮していなかった。
【０１２２】
そこで、本実施形態では、観察位置と印刷物（サンプル）の位置関係に正対する入射角方向の輝度（以下、入射角方向の輝度）に基づくプリント輝度の予測を追加して検討する。そして、その予測されるプリント輝度の再現範囲に応じて「出力輝度の線形領域における傾きが一致する」ように、また「入力画像の輝度に対する線形領域が増加する」ように、照明装置における局所照明制御のための画像データの変換特性を設定する。
【０１２３】
（画像処理装置の機能構成）
次に、図１２を用いて、画像処理装置１００の機能構成を説明する。図１２は、画像処理装置１００の機能ブロック図である。なお、図１２に示す機能は、これらの機能を実現するためのプログラムを、図２に示す画像処理装置１００に供給し、さらに、画像処理装置１００が実行することで実現される。なお、観察条件取得部２０４、拡散反射特性取得部２０５、反射特性保持部２０６、プリント輝度値予測部２０７、鏡面反射特性取得部２１５以外は、その機能として実施形態１の画像処理装置１００と同様であることから、ここでは説明を省略する。
【０１２４】
観察条件取得部２０４は、後述の図１５に示すＧＵＩを用いて、ユーザにより設定された観察条件を取得する。拡散反射特性取得部２０５は、例えば、測色器により、プリント画像出力装置１１１が出力した画像の拡散反射特性を取得する。反射特性保持部２０６は、拡散反射特性取得部２０５により取得された拡散反射特性と鏡面反射特性取得部２１５により取得された鏡面反射特性を、印刷物反射特性として保持する。プリント輝度値予測部２０７は、観察条件取得部２０４により取得した照明強度と、入射角方向の輝度（天井・壁明るさ）と、反射特性保持部２０６が保持する印刷物反射特性から、観察環境における印刷物の拡散反射光、鏡面反射光の輝度を算出（予測）する。鏡面反射特性取得部２１５は、例えば、変角測定器によりプリント画像出力装置１１１が出力した画像の鏡面反射特性を取得する。
【０１２５】
なお、鏡面反射特性は、図１３に示す一般的な変角測定器により測定される。ここで、変角測定器は変角特性（bidirectional reflectance distribution function: BRDF）を測定するための装置である。また、変換特性は、光をある角度から照射したときの出射角度（反射角度）に対する反射光の強度を測定したものである。
【０１２６】
変角特性は、図１３（ａ）に示されるように、投光角θの位置に配置した照明光７０２から印刷物７０１に光を照射し、受光角θ'に配置した受光部７０３によって印刷物７０１の反射強度を受光することで測定される。なお、変角特性の測定において、投光角θと受光角θ'を可変にすることで、全方位の反射強度の測定が可能である。
【０１２７】
また、図１３（ｂ）は、印刷物７０１を一般的な光沢紙とした場合の変角特性の測定例を示している。図１３（ｂ）において、例えば、投光角θを４５度に固定して、受光角θ'を−９０度から＋９０度に変化させて、反射強度を測定する。図１３（ｂ）において、照明光７０２から照射される光は印刷物７０１で反射され、正反射方向に大きな反射特性（以下、鏡面反射特性）を示す。他方、印刷物７０１は、正反射方向以外の方向には小さな反射特性（以下、拡散反射特性）を示す。
【０１２８】
本実施形態では、輝度リニアな入力ＲＧＢ画像（８ビット）をプリント画像出力装置１１１により階調変換して印刷し、その印刷されたパッチから反射される光を、分光測色器、変角測定器で測定することで、拡散反射特性と鏡面反射特性を取得する。
【０１２９】
なお、階調変換に関して、具体的には、プリンタ階調変換部２１３により、輝度リニアな画像（白（（Ｒ、Ｇ、Ｂ）＝（２５５、２５５、２５５））から黒（（Ｒ、Ｇ、Ｂ）＝（０、０、０）））に対して、プリンタガンマテーブル２１２を用いて実行される。
【０１３０】
ここで、プリンタガンマテーブル２１２を用いた階調変換処理に関して説明を補足する。図１８は、実施形態１で説明したように、プリンタガンマテーブル２１２を示す図であり、プリンタガンマテーブル２１２は、通常の照明強度（３００−１０００［ｌｘ］）で、好ましい画像が出力されるよう設定されている。
【０１３１】
そして、上述のように、このようなプリンタガンマテーブル２１２で階調変換された画像データに、プリント処理部２１４によりプリント処理を施すことで出力された印刷物に関して、拡散反射特性と鏡面反射特性を取得する。なお、取得された拡散反射特性と鏡面反射特性は印刷物反射特性として、反射特性保持部２０６に格納される。また、反射特性保持部２０６は、例えば、記憶部１０３等に割り当てられる。
【０１３２】
本実施形態では、入力画像データの最明部（即ち、最大輝度の画像データから形成される白パッチ）から最暗部（即ち、最小輝度の画像データから形成される黒パッチ）を５等分した印刷物反射特性（拡散反射特性及び鏡面反射特性）を取得する。
【０１３３】
具体的には、輝度リニアな入力ＲＧＢ画像を、グレイラインにおいて均等に５等分し、さらに、プリンタガンマテーブル２１２を用いて、プリンタ階調変換部２１３により階調変換することで、各々の画像データに関する印刷物反射特性を取得する。即ち、輝度リニアな入力画像（Ｒ、Ｇ、Ｂ）＝（２５５、２５５、２５５）・・・（０、０、０）の５パッチに対して、プリンタガンマテーブル２１２を用いて階調変換することで、各々の画像データに関する印刷物反射特性を取得する。
【０１３４】
なお、印刷物反射特性を取得する画像（パッチ）の数は、必ずしも、これに限定されない。したがって、例えば、全てのＲＧＢ値（２５６×２５６×２５６≒１６００万）に対して、また、０−２５５のＲＧＢ値を均等に９個に間引かれたＲＧＢ値（９×９×９＝７２９）に対して、印刷物反射特性を取得することもできる。
【０１３５】
次に、図１４を用いて、反射特性保持部２０６に保持される印刷物反射特性（拡散反射特性及び鏡面反射特性）について説明する。図１４は反射特性保持部２０６に保持される印刷物反射特性を示す図であり、より詳細には、輝度リニアな入力画像に対応する拡散反射特性と鏡面反射特性のＣＩＥＸＹＺ値を、テーブルとして保持する例を示している。
【０１３６】
なお、補足として、入力画像は輝度リニアな画像であるが、プリンタガンマテーブル２１２を用いて階調変換を施すことから、取得される拡散反射特性と鏡面反射特性は輝度リニアにはならない。また、ＣＩＥＸＹＺ値の代わりに、ＣＩＥＬＡＢ値を用いることも、輝度値Ｙのみを用いることもできる。
【０１３７】
その他、拡散反射特性（拡散反射率）と鏡面反射特性（鏡面反射率）のＣＩＥＸＹＺ値の値を同数、用意しておく必要はない。具体的には、鏡面反射特性は、拡散反射特性に比較して、測定において相対的に手間がかかることから、図１７に示すように、拡散反射特性に対して、鏡面反射特性の数を少なくしてもよい。
【０１３８】
（観察条件取得部）
次に、図１５を用いて、観察条件取得部２０４により提供されるＧＵＩについて説明する。ユーザは、図１５に示すＧＵＩを用いて、観察条件を設定する。ユーザは、図１４に示すＧＵＩにおいて、印刷物上の照明強度、入射角方向の輝度を感覚的に入力する「候補選択」、照明強度、入射角方向の輝度を数値（物理値）で入力する「数値設定」をチェックボックスで選択する。
【０１３９】
「候補選択」が選択された場合、照明強度の候補として、例えば、とても明るい（昼間屋外）、明るい（美術館照明）、ふつう（オフィス）、やや暗い（一般家庭）等から、照明強度が選択される。加えて、入射角方向の輝度の候補として、例えば、とても明るい（白い）、明るい（明るいグレイ）、普通（グレイ）、暗い（黒い）等から、入射角方向の輝度が選択される。「候補選択」として選択される候補には、その候補に対応した照度ルクスと入射角方向の輝度（天井・壁明るさ）が設定される。例えば、照度ルクスに関して普通（オフィス）が選択されると８００［ｌｘ］が選択されたとして、入射角方向の輝度（天井・壁明るさ）に関して普通（グレイ）が選択されると、５０［ｃｄ／ｍ２］が選択されたとして以後の処理が実行される。
【０１４０】
また、「数値設定」が選択された場合、照明強度に関して、テキストボックスに印刷物上の照明強度（照度ルクス（Ｌｘ）の値）が入力されるか、スライダーバーを左右に移動させることにより、具体的な照明強度が選択される。加えて、入射角方向の輝度に関しても、テキストボックスに観察面から写り込む天井や壁の輝度［ｃｄ／ｍ２］の値を入力させるか、スライダーバーを左右に移動させることにより、具体的な入射角方向の輝度が選択される。以上により、観察条件取得部２０４で、印刷物上に照射される照明強度、入射角方向の輝度（天井・壁明るさ）が取得及び設定される。
【０１４１】
なお、本実施形態で使用する照明装置に関して、局所的に照明強度を制御することができるが、ここでの照明強度は、全面において照射可能な最大の照明強度で照らしたときの照明強度を、ユーザに選択させる。例えば、照明装置１１３がプロジェクタの場合、画像データとして全面において白（（Ｒ、Ｇ、Ｂ）＝（２５５、２５５、２５５））が設定された場合の照明強度がユーザにより選択される。即ち、照明装置１１３が、ハンディタイプやポケットに入るようなものであれば、画像データとして、全面において白（（Ｒ、Ｇ、Ｂ）＝（２５５、２５５、２５５））が設定された場合でも、３００［ｌｘ］程度の小さな照明強度しか得られない。他方、照明装置１１３が、会議室や美術館に備え付けられた照明装置であれば、画像データとして、全面において白（（Ｒ、Ｇ、Ｂ）＝（２５５、２５５、２５５））が与えられた場合、３０００［ｌｘ］程度の大きな照明強度を得ることができる。このように、使用する照明装置１１３により、得られる最大の照明強度は異なる。
【０１４２】
また、上述の実施形態では、照明強度（輝度）として照度［ｌｘ］を用いて説明したが、照明輝度としては必ずしもこれに限定されず、例えば、輝度[ｃｄ／ｍ２]、[ｎｉｔ]を用いることもできる。その他、照明強度をより正確に入力させるために、掲示される印刷物上で照度計による照度測定や、観察位置と印刷物の位置関係に正対する入射角方向の輝度（天井・壁明るさ）の測定が必要である旨、ＧＵＩ上に記載してもよい。
【０１４３】
（画像処理）
次に、図８を用いて、画像処理装置１００における画像処理について説明する。図８は、上述のように、画像処理装置１００における画像処理の手順を示すフローチャートである。なお、ステップＳ５０１−Ｓ５０３における処理とステップＳ５０６−Ｓ５０８における処理は、実施形態１と同様であることから、ここでは、その説明を省略する。
【０１４４】
ステップＳ５０４において、先ず、取得された観察条件（照明強度Ｌｔ［ｌｘ］、入射角方向の輝度Ｗｔ［ｃｄ／ｍ２］）と、拡散反射特性（Ｐｄ）、鏡面反射特性（Ｒｄ）に基づいて、印刷物の拡散反射光の輝度Ｃｄ_Ｐと正反射光の輝度Ｃｄ_Ｒを算出する。さらに、印刷物の拡散反射光の輝度Ｃｄ_Ｐと正反射光の輝度Ｃｄ_Ｒに基づいて、観察者の目に到達する輝度の総計Ｃｄを次式により算出する。
【０１４５】
【数４】
2019096928.tif 000006
【０１４６】
【数５】
2019096928.tif 000007
【０１４７】
ここで、πは円周率を、ＰｄＹは拡散反射特性の三刺激値ＸＹＺにおけるＹ成分を、ＲｄＹは鏡面反射特性の三刺激値ＸＹＺにおけるＹ成分を示す。
【０１４８】
【数６】
2019096928.tif 000008
【０１４９】
次に、プリント輝度値予測部２０７は、全てのパッチに対して、輝度の総計Ｃｄを算出したか否かを判定する（Ｓ５０５）。そして、拡散反射光の輝度の総計Ｃｄの算出が全てのパッチに対して終了していないと判定されると（Ｓ５０５ Ｎｏ）、画像処理装置１００は、処理をステップＳ５０４に返し、全てのパッチに対して、拡散反射光の輝度の総計Ｃｄを算出する。
【０１５０】
本実施形態では、グレイラインにおいて、均等に５等分した入力ＲＧＢ画像（輝度リニア）を、プリンタガンマテーブル２１２を用いて、プリンタ階調変換部２１３により階調変換することで、各々の画像データに関する拡散反射特性と鏡面反射特性を取得する。即ち、輝度リニアな入力画像（Ｒ、Ｇ、Ｂ）＝（２５５、２５５、２５５）・・・（０、０、０）の５パッチに対して、プリンタガンマテーブル２１２に基づいて階調変換することで、各々の画像データに関する拡散反射特性と鏡面反射特性を取得する。
【０１５１】
以上、説明したように、本実施形態では、照明強度に加え、入射角方向の輝度が設定される。さらに、設定された照明強度、入射角方向の輝度と、予め計測された印刷物の拡散反射特性及び鏡面反射特性を用いて、観察者が知覚するプリント輝度を予測する。加えて、予測されたプリント輝度の再現範囲に応じて「出力輝度の線形領域における傾きが一致する」ように、また「入力画像の輝度（彩度）に対する線形領域が増加する」ように変換特性を設定し、観察環境に適した画像を生成する例を示した。
【０１５２】
なお、上述の実施形態では、予測されるプリント輝度の再現範囲が大きくなるほど、入力画像の輝度に対する線形領域が増加するように変換特性を設定した。しかしながら、図１４に示した拡散反射特性の三刺激値ＰｄＸ、ＰｄＹ、ＰｄＺ、及び鏡面反射特性の三刺激値ＲｄＸ、ＲｄＹ、ＲｄＺから、プリントの彩度を予測してもよい。そして、予測されたプリント彩度特性の再現範囲が異なる場合において、「出力彩度の線形領域における傾きが一致する」ように、また「入力画像の彩度に対する線形領域が増加する」ように、変換特性を設定してもよい。
【０１５３】
［実施形態４］
上述の実施形態１及び２では、上述のように、「出力輝度の線形領域における傾きが一致する」ように、また「入力画像の輝度（彩度）に対する線形領域が増加する」ように、照明装置における局所照明制御のための画像データの変換特性を設定する例を示した。
【０１５４】
また、実施形態３では、プリント輝度を予測する上で、入射角方向の輝度を条件として追加した。そして、そのプリント輝度の再現範囲に応じて、「出力輝度の線形領域における傾きが一致する」ように、また「入力画像の輝度に対する線形領域が増加する」ように、照明装置における局所照明制御のための画像データの変換特性を設定する例を示した。
【０１５５】
但し、照明装置の最大の照明強度、入射角方向の輝度以外にも、印刷物の見た目の濃度を変化させる場合がある。ここで、例えば、図２１のように、印刷物を壁に掛けて、展示された印刷物（即ち、印刷物に印刷された画像）を観察することを考える。図２１（ａ）は非指向性照明を有する照明装置の照明で展示された印刷物（画像）、（ｂ）は指向性照明を有する照明装置の最大の照明強度で展示された印刷物（画像）を示す。なお、照明装置の最大の照明強度とは、例えば、照明装置がプロジェクトの場合、画像データとして全面において白（（Ｒ、Ｇ、Ｂ）＝（２５５、２５５、２５５））が設定された場合の照明強度として示される。
【０１５６】
図２１（ａ）では、非指向性照明により画像の中心部の照明強度が３０００［ｌｘ］となるように照射され、画像部及び非画像部（画像以外の部分）の背景のいずれにおいても、照明が照射されていることから、観察環境全体が明るくなる。即ち、非画像部の背景の輝度Ｃｄ_Ｂ１は、明るくなる。なお、非画像部の背景とは、印刷物（画像）を掛ける壁の領域のうち、印刷物（画像）以外の領域として示される。また、図２１では、画像部に対して右の領域を非画像部の背景として示しているが、画像部に対して左の領域、上の領域、下の領域を非画像部の背景としてもよい。他方、図２１（ｂ）では、指向性照明により画像の中心部の照明強度が３０００［ｌｘ］となるように照射され、画像部においてのみ、照明が照射されることから、非画像部の背景の輝度Ｃｄ_Ｂ２は暗くなる。
【０１５７】
補足として、図２１において（ａ）、（ｂ）共に、画像部の中心における照明の強度は３０００［ｌｘ］であり、画像部の輝度値分布は同じとする。即ち、画像部のみの輝度を測定した場合、輝度は双方共に同じ値を示す。
【０１５８】
ここで、図２１（ａ）、（ｂ）の画像を観察すると、一般的に、図２１（ｂ）の画像の方が、印刷物の中間調部からハイライト部が白飛びしているように、観察者に知覚されることが多い。即ち、図２１（ｂ）のような指向性照明下で印刷物を見ると、印刷物は、露出を数段分、オーバーさせて撮影されたかのように見える。これは、観察者の視覚が、画像を見たときに、観察者の視野に入る非画像部の背景の輝度に順応するためである。
【０１５９】
この点、より詳細には、例えば、図２１（ａ）の非指向性照明では、観察者の視覚が順応する背景輝度は、比較的大きい。そのため、観察者の視覚が順応した輝度に対して、画像の最明部や肌等の重要色部分の輝度は、それほど大きくなることはない。他方、図２１（ｂ）の指向性照明では、観察者の視覚が順応する背景輝度は、比較的小さい。そのため、上述のように、露出を数段分、オーバーさせて撮影されたかのように見え、中間調部からハイライト部が白飛びしているように知覚される。
【０１６０】
これは、背景輝度と最明部の輝度とのコントラストが、印刷物（画像）の見た目の濃度変化に寄与するためである。なお、上述では、背景輝度と最明部の輝度とのコントラストとしているが、最明部の輝度に関して、肌部等の輝度の比較的、明るい部分における輝度や空等の重要色の輝度としてもよい。
【０１６１】
これらを踏まえ、画像部の輝度と非画像部の背景の輝度の差がある程度、大きい場合に、観察者により知覚される見た目の濃度変化を抑制することを以下で検討する。図２２は、展示環境（非指向性照明、指向性照明）における画像の最明部の輝度、非画像部の背景の輝度、画像の最暗部の輝度を示す図である。
【０１６２】
図２２（ａ）は、非指向性照明環境下における、画像の最明部の輝度（プリント輝度予測値Ｃｄの最大値）Ｃｄ_Ｍａｘ１、非画像部の背景の輝度Ｃｄ_Ｂ１、画像の最暗部の輝度（プリント輝度最小値）Ｃｄ_Ｍｉｎ１を示す。ここで、非画像部の背景の輝度Ｃｄ_Ｂ１に対する画像の最明部の輝度Ｃｄ_Ｍａｘ１のコントラスト値、即ち、Ｃｄ_Ｍａｘ１／Ｃｄ_Ｂ１をＣ１とする。
【０１６３】
また、図２２（ｂ）は、指向性照明下における、画像の最明部の輝度（プリント輝度予測値Ｃｄの最大値）Ｃｄ_Ｍａｘ２、非画像部の背景の輝度Ｃｄ_Ｂ２、画像の最暗部の輝度（プリント輝度最小値）Ｃｄ_Ｍｉｎ２を示す。ここで、非画像部の背景の輝度Ｃｄ_Ｂ２に対する画像の最明部の輝度Ｃｄ_Ｍａｘ２のコントラスト値、即ち、Ｃｄ_Ｍａｘ２／Ｃｄ_Ｂ２をＣ２とする。
【０１６４】
ここで、画像中心の照度は３０００［ｌｘ］であることから、図２２（ａ）、（ｂ）において、画像部の輝度分布は同じとなる。即ち、画像の最明部の輝度Ｃｄ_Ｍａｘ１とＣｄ_Ｍａｘ２は、ほぼ同じ値を示す。同様に、画像の最暗部の輝度Ｃｄ_Ｍｉｎ１とＣｄ_Ｍｉｎ２も、ほぼ同じ値を示す。
【０１６５】
但し、非画像部の背景の輝度Ｃｄ_Ｂ１とＣｄ_Ｂ２はＣｄ_Ｂ１＞Ｃｄ_Ｂ２であり、そのため、図２２（ａ）、（ｂ）で観察者の視覚が順応する輝度が異なり、図２２（ｂ）の画像の方が白飛びしているように知覚される。また、図２２（ａ）におけるコントラスト値Ｃ１と図２２（ｂ）におけるコントラスト値Ｃ２を比較すると、Ｃ１＜Ｃ２となる。
【０１６６】
そこで、本実施形態では、図２２（ａ）と図２２（ｂ）に関して、画像の見た目の印象を同じになるようにするため、図２２（ａ）におけるコントラスト値Ｃ１と図２２（ｂ）におけるコントラスト値Ｃ２を同じにすることを検討する。具体的には、図２２において、非画像部の背景の輝度Ｃｄ_Ｂ２に対する画像の最明部の輝度Ｃｄ_Ｍａｘ２のコントラスト値、即ち、Ｃｄ_Ｍａｘ２／Ｃｄ_Ｂ２＝Ｃ２が、Ｃ１と略一致するように画像の輝度を変更することを検討する。
【０１６７】
したがって、例えば、図２２（ｂ）のＣｄ_Ｍａｘ２を、図２２（ｃ）のＣｄ_Ｍａｘ２_ｅに示されるように、画像の最明部の輝度を抑えれば（即ち、照明装置の照明強度を低減すれば）、コントラスト値をコントラスト値Ｃ１と同じにすることができる。具体的には、画像の最明部の輝度をＣｄ_Ｍａｘ２からＣｄ_Ｍａｘ２_ｅに低減すれば、非画像部の背景の輝度Ｃｄ_Ｂ２に対する画像の最明部の輝度Ｃｄ_Ｍａｘ２_ｅのコントラスト値Ｃ３を、コントラスト値Ｃ１と同じにするができる。即ち、画像の見た目の印象が同じになるように変更することができる。
【０１６８】
なお、図２２において、Ｃｄ_Ｍａｘ１、Ｃｄ_Ｍａｘ２を画像の最明部の輝度（プリント輝度最大値）として説明したが、肌部等の輝度の比較的、明るい部分における輝度や空等の重要色の輝度とすることもできる。また、画像の最明部の輝度から画像の最暗部の輝度を差し引き、非画像部の背景の輝度で除算した値を、コントラスト値として用いることもできる。即ち、（Ｃｄ_Ｍａｘ１−Ｃｄ_Ｍｉｎ１）／Ｃｄ_Ｂ１をＣ１、（Ｃｄ_Ｍａｘ２_ｅ−Ｃｄ_Ｍｉｎ２）／Ｃｄ_Ｂ２をＣ３として、Ｃ３がＣ１と同じになるように、Ｃｄ_Ｍａｘ２_ｅの輝度を変更することもできる。いずれにしても、非画像部の背景の輝度に対する画像の最明部の輝度のコントラストが一致するように、画像の最明部の輝度を変更することで、画像の見た目の印象が同じになるように変更することができる。以下、観察者により知覚される見た目の濃度変化を抑制するための機能（処理）を、具体的に説明する。
【０１６９】
（画像処理装置の機能構成）
本実施形態に係る画像処理装置の機能構成は、実施形態１に係る画像処理装置と同様であり、図３のブロック図により示される。なお、図３に示す機能は、実施形態１と同様に、これらの機能を実現するためのプログラムを、図２に示す画像処理装置１００に供給し、さらに、画像処理装置１００が実行することで実現される。また、観察条件取得部２０４、プリント輝度値予測部２０７、目標輝度特性設定部２０８、照明変換特性設定部２０９以外は、その機能として実施形態１の画像処理装置１００と同様であることから、ここでは説明を省略する。
【０１７０】
観察条件取得部２０４は、後述の図２３に示すＧＵＩを用いて、ユーザにより設定された観察条件を取得する。プリント輝度値予測部２０７は、観察条件取得部２０４により取得した照明強度と、反射特性保持部２０６が保持する印刷物反射特性から、観察環境における印刷物の拡散反射光の輝度を算出（予測）する。目標輝度特性設定部２０８は、観察条件取得部２０４により取得した観察者により知覚される背景輝度（非画像部の背景の輝度）と、プリント輝度値予測部２０７で予測されたプリント輝度に基づいて、再現すべき目標輝度特性を設定する。照明変換特性設定部２０９は、目標輝度特性設定部２０８で設定された目標輝度特性と、プリント輝度値予測部２０７で予測されたプリント輝度との差分に基づいて、照明装置１１３に出力する画像データに変換するための変換特性を設定する。
【０１７１】
（観察条件取得部）
次に、図２３を用いて、観察条件取得部２０４により提供されるＧＵＩについて説明する。ユーザは、図２３に示すＧＵＩを用いて、観察条件を設定する。ユーザは、図２３に示すＧＵＩにおいて、印刷物上の照明強度、非画像部の背景の輝度を感覚的に入力する「候補選択」、照明強度、非画像部の背景の輝度を数値（物理値）で入力する「数値設定」をチェックボックスで選択する。補足として、図２３の非画像部の背景の輝度とは、上述のように、例えば、図２１のＣｄ_Ｂ１、Ｃｄ_Ｂ２として示される輝度である。
【０１７２】
「候補選択」が選択された場合、照明強度の候補として、例えば、とても明るい（昼間屋外）、明るい（美術館照明）、ふつう（オフィス）、やや暗い（一般家庭）等から、照明強度が選択される。加えて、非画像部の背景の輝度の候補として、例えば、とても明るい（白い）、明るい（明るいグレイ）、普通（グレイ）、暗い（黒い）等から、非画像部の背景の輝度が選択される。
【０１７３】
また、「数値設定」が選択された場合、照明強度に関して、テキストボックスに印刷物上の照明強度（照度ルクス（Ｌｘ）の値）が入力されるか、スライダーバーを左右に移動させることにより、具体的な照明強度が選択される。加えて、非画像部の背景輝度に関しても、同様に、観察者により知覚される非画像部の背景の輝度が輝度値［ｃｄ／ｍ２］として入力されるか、スライダーバーを左右に移動させることにより、具体的な非画像部の背景の輝度が選択される。「候補選択」として選択される候補には、その候補に対応した照度ルクスが設定され、例えば、照明強度として普通（オフィス）が選択されると、８００［ｌｘ］が選択されたとして、以後の処理が実行される。また、同様に、非画像部の背景の輝度として、普通（グレイ）が選択されると、５０［ｃｄ／ｍ２］が選択されたとして、以後の処理が実行される。
【０１７４】
なお、本実施形態で使用する照明装置に関して、局所的に照明強度を制御することができるが、ここでの照明強度は、全面において照射可能な最大の照明強度で照らしたときの照明強度を、ユーザに選択させる。例えば、照明装置１１３がプロジェクタの場合、画像データとして全面において白（（Ｒ、Ｇ、Ｂ）＝（２５５、２５５、２５５））が設定された場合の照明強度がユーザにより選択される。即ち、照明装置１１３が、ハンディタイプやポケットに入るようなものであれば、画像データとして、全面において白（（Ｒ、Ｇ、Ｂ）＝（２５５、２５５、２５５））が設定された場合でも、３００［ｌｘ］程度の小さな照明強度しか得られない。他方、照明装置１１３が、会議室や美術館に備え付けられた照明装置であれば、画像データとして、全面において白（（Ｒ、Ｇ、Ｂ）＝（２５５、２５５、２５５））が与えられた場合、３０００［ｌｘ］程度の大きな照明強度を得ることができる。このように、使用する照明装置１１３により、得られる最大の照明強度は異なる。
【０１７５】
また、上述の実施形態では、照明強度（輝度）として照度［ｌｘ］を用いて説明したが、照明輝度としては必ずしもこれに限定されず、例えば、輝度[ｃｄ／ｍ２]、[ｎｉｔ]を用いることもできる。加えて、照明装置として、非指向性照明又は指向性照明をユーザに選択させるようにしてもよい。その場合、例えば、非指向性照明が選択された場合、非画像部の背景の輝度を比較的大きく（明るい（明るいグレイ））、指向性照明が選択された場合、非画像部の背景の輝度を比較的小さく（暗い（黒い））なるように設定されてもよい。その他、照明強度をより正確に入力させるために、掲示される印刷物上で照度計による照度測定や非画像部の背景の輝度の測定が必要である旨、ＧＵＩ上に記載してもよい。
【０１７６】
（画像処理）
次に、図８を用いて、画像処理装置１００における画像処理について説明する。図８は、上述のように、画像処理装置１００における画像処理の手順を示すフローチャートである。なお、ステップＳ５０１、Ｓ５０８における処理は、実施形態１と同様であることから、ここでは、その説明を省略する。
【０１７７】
観察条件取得部２０４は、輝度算出部２０３により入力された画像データが輝度リニアな画像データに変換されると、ユーザにより選択された観察条件（照明強度 Ｌｔ［ｌｘ］、非画像部の背景の輝度Ｃｄ_Ｂ［ｃｄ／ｍ２］）を取得する（Ｓ５０２）。上述のように、ここでの照明強度 Ｌｔは、照明装置１１３において照射することが可能な最大の照明強度で照らしたときの値（照明強度）を取得する。例えば、照明装置１１３がプロジェクタの場合、画像データとして、全面において白（（Ｒ、Ｇ、Ｂ）＝（２５５、２５５、２５５））が設定された場合の照明強度が取得される。補足として、非画像部の背景の輝度とは、上述のように、例えば、図２１のＣｄ_Ｂ１、Ｃｄ_Ｂ２として示される輝度である。
【０１７８】
プリント輝度値予測部２０７は、観察条件取得部２０４により観察条件が取得されると（Ｓ５０２）、拡散反射特性（Ｐｄ）を反射特性保持部２０６から取得する（Ｓ５０３）。プリント輝度値予測部２０７は、取得された観察条件（照明強度 Ｌｔ［ｌｘ］）と、拡散反射特性（Ｐｄ）に基づいて、印刷物の拡散反射光の輝度Ｃｄを算出する（Ｓ５０４）。
【０１７９】
なお、印刷物の拡散反射光の輝度Ｃｄは次式で算出される。
【０１８０】
【数７】
2019096928.tif 000009
【０１８１】
ここで、πは円周率を、ＰｄＹは拡散反射特性の三刺激値ＸＹＺにおけるＹ成分を示し、また、ＰｄＹは、実施形態１の図５と同様に、０．７７−９０．３の範囲を有する。
【０１８２】
プリント輝度値予測部２０７は、拡散反射光の輝度Ｃｄを、全てのパッチに対して、算出したか否かを判定する（Ｓ５０５）。そして、拡散反射光の輝度Ｃｄの算出が全てのパッチに対して終了していないと判定されると（Ｓ５０５ Ｎｏ）、画像処理装置１００は、処理をステップＳ５０４に返し、全てのパッチに対して、拡散反射光の輝度Ｃｄを算出する。
【０１８３】
上述のように、本実施形態では、グレイラインにおいて均等に５等分した入力ＲＧＢ画像（輝度リニア）を、プリンタガンマテーブル２１２を用いて、プリンタ階調変換部２１３により階調変換することで、各々の画像データに関する拡散反射特性を取得する。即ち、輝度リニアな入力画像（Ｒ、Ｇ、Ｂ）＝（２５５、２５５、２５５）・・・（０、０、０）の５パッチに対して、プリンタガンマテーブル２１２を用いて階調変換することで、各々の画像データに関する印刷物反射特性を取得する。
【０１８４】
目標輝度特性設定部２０８は、プリント輝度値予測部２０７で算出された印刷物の拡散反射光の輝度Ｃｄと、観察条件取得部２０４により取得された非画像部の背景の輝度Ｃｄ_Ｂに基づいて、印刷物として再現すべき目標輝度特性を設定する（Ｓ５０６）。
【０１８５】
なお、本実施形態では、目標輝度特性Ｔ_Ｃｄを設定する前に、仮目標輝度特性Ｉ_Ｃｄを設定する。ここで、仮目標輝度特性Ｉ_Ｃｄは、実施形態１の目標輝度特性Ｔ_Ｃｄと同様である。即ち、仮目標輝度特性Ｉ_Ｃｄは、プリント輝度特性の再現範囲が異なる場合において、再現範囲が相対的に小さい場合の出力輝度の線形領域における傾きと、再現範囲が相対的に大きい場合の出力輝度の線形領域における傾きとが一致するように設定される。
【０１８６】
また、仮目標輝度特性I_Ｃｄの設定方法も、実施形態１のステップＳ５０６で上述した目標輝度特性Ｔ_Ｃｄの設定方法と同様である。即ち、仮目標輝度特性Ｉ_Ｃｄは、図２５に示されるように、予め用意した２つの異なるテーブル（Ｔｂｌ_１、Ｔｂｌ_２）と、プリント輝度予測値Ｃｄの最大値Ｃｄ_Ｍａｘ［ｃｄ／ｍ２］に応じた重み付けα値の関数から算出される。
【０１８７】
また、ここで、プリント輝度予測値（印刷物の拡散反射光の輝度）Ｃｄの最大値Ｃｄ_Ｍａｘも、実施形態１と同様に、式（７）に基づいて算出される。したがって、例えば、図２２の照明強度：３０００［ｌｘ］の場合に、プリント輝度予測値Ｃｄの最大値Ｃｄ_Ｍａｘは、約１０００［ｃｄ／ｍ２］と算出される。
【０１８８】
以下、図２４を用いて、本実施形態に係る仮目標輝度特性Ｉ_Ｃｄの設定方法について、説明を補足する。図２４は、上述のように、照明強度に応じて予測されるパッチのプリント輝度予測値Ｃｄと、プリント輝度予測値に基づいて設定された仮目標輝度特性Ｉ_Ｃｄを示す。
【０１８９】
実施形態１と同様に、照明強度：通常（３００［ｌｘ］）における仮目標輝度特性Ｉ_Ｃｄは、シャドウ部から中間調部（入力画素値が６４（６００５）よりも小さい領域）にかけて線形特性を有する。また、中間調部からハイライト部（入力画素値が６４（６００５）よりも大きい領域）は変換特性が曲がり、非線形特性を有する（６００３）。他方、照明強度：強（３０００［ｌｘ］）における仮目標輝度特性Ｉ_Ｃｄは、シャドウ部からハイライト部まで線形特性を有する（６００４）。
【０１９０】
この場合、目標輝度特性設定部２０８で設定される仮目標輝度特性Ｉ_Ｃｄは、実施形態１と同様に、次式に基づいて算出される。
【０１９１】
【数８】
2019096928.tif 000010
【０１９２】
なお、Ｉｎは、入力画素値（０≦Ｉｎ≦２５５）である。また、Ｔｂｌ_１（Ｉｎ）は、入力画素値ＩｎにおけるＴｂｌ_１の輝度値、Ｔｂｌ_２（Ｉｎ）は、入力画素値ＩｎにおけるＴｂｌ_２の輝度値である。そして、重み付けα値を、α＝０．００（７００４）、α＝０．３３（７００５）、α＝０．６６（７００６）、α＝１．００（７００７）と変動させた場合の、上式により算出された仮目標輝度特性Ｉ_Ｃｄは、図２５の下段に示される。図２５を参照すると、プリント輝度特性の再現範囲が異なる場合において、再現範囲が相対的に小さい場合の出力輝度の線形領域における傾きと、再現範囲が相対的に大きい場合の出力輝度の線形領域における傾きとが一致するように設定されることがわかる。即ち、仮目標輝度特性Ｉ_Ｃｄは、実施形態１の目標輝度特性Ｔ_Ｃｄと同様であることがわかる。補足として、この場合において、実施形態２で説明したように、予測されたプリント輝度特性の再現範囲が大きくなるほど、目標輝度特性に関して、線形領域が増加するように設定してもよい。
【０１９３】
そして、上述のように仮目標輝度特性Ｉ_Ｃｄを算出すると、次に、背景輝度Ｃｄ_Ｂ［ｃｄ／ｍ２］に基づいて、印刷物として再現すべき目標輝度特性Ｔ_Ｃｄを設定（算出）する。なお、本実施形態では、目標輝度特性Ｔ_Ｃｄを設定する上で、参照対象として、所定の環境下における背景輝度Ｃｄ_Ｂ、画像の最明部の輝度（プリント輝度最大値）Ｃｄ_Ｍａｘ、コントラスト値を予め保持しておくものとする。例えば、所定の環境を図２２（ａ）に示される非指向性照明の環境とする場合、背景輝度Ｃｄ_Ｂ１、画像の最明部の輝度（プリント輝度最大値）Ｃｄ_Ｍａｘ１、コントラスト値Ｃ１＝Ｃｄ_Ｍａｘ１／Ｃｄ_Ｂ１を参照対象として保持しておく。
【０１９４】
ここで、印刷物として再現すべき目標輝度特性Ｔ_Ｃｄ（具体的には、図２指向性照明を有する照明装置環境における目標輝度特性Ｔ_Ｃｄ）は、次式で算出される。より具体的には、印刷物として再現すべき目標輝度特性Ｔ_Ｃｄは、照明強度Ｌｔ［ｌｘ］（図２２（ｂ）では３０００［ｌｘ］）、背景輝度Ｃｄ_Ｂ［ｃｄ／ｍ２］（図２２（ｂ）ではＣｄ_Ｂ２[ｃｄ／ｍ２]）に基づいて、次式で算出される。
【０１９５】
【数９】
2019096928.tif 000011
【０１９６】
なお、上式（９）において、Ｉ_Ｃｄは、算出対象とする環境（具体的には、図２２（ｂ）の環境）の仮目標輝度特性である。また、Ｃ１は参照対象（リファレンス）とする所定の環境下（具体的には、図２２（ａ）の環境下）におけるコントラスト値である。さらに、Ｃは、目標輝度特性Ｔ_Ｃｄの算出対象とする環境下におけるコントラスト値であり、本実施形態では、背景の輝度Ｃｄ_Ｂに対するプリント輝度最大値Ｃｄ_Ｍａｘの比として、次式で示される。
【０１９７】
【数１０】
2019096928.tif 000012
【０１９８】
即ち、図２２（ｂ）の環境下において、コントラスト値Ｃは、上式に基づいて、Ｃ  ＝  Ｃｄ_Ｍａｘ２／Ｃｄ_Ｂ２  として示される。
【０１９９】
このように（即ち、上式（９）に示されるように）、リファレンスとするコントラスト値Ｃ１に比べ、算出対象とする環境下でのコントラスト値Ｃが大きい場合には、目標輝度特性Ｔ_Ｃｄを小さく設定する。他方、リファレンスとするコントラスト値Ｃ１に比べ、算出対象とする環境下でのコントラスト値Ｃが小さい場合には、目標輝度特性Ｔ_Ｃｄを大きく設定する。即ち、リファレンスとするコントラスト値Ｃ１に一致させるように、目標輝度特性Ｔ_Ｃｄを設定する。
【０２００】
ここで、上式（９）に示されるように、目標輝度特性Ｔ_Ｃｄを設定する理由は、上述のように、コントラスト値をリファレンスとする所定の環境下におけるコントラスト値と同じにすることで、観察者により知覚される見た目の濃度変化を抑制するためである。
【０２０１】
なお、コントラストに関して、上述では、その定義として、非画像部の背景の輝度に対する画像の最明部の輝度の比として説明したが、コントラストは必ずしもこれに限定されない。したがって、例えば、画像の最明部の輝度（プリント輝度最大値）に代えて、肌部等の輝度の比較的、明るい部分における輝度や空等の重要色の輝度として、コントラスト値を一致させるように、目標輝度特性Ｔ_Ｃｄを算出してもよい。
【０２０２】
また、画像の最明部の輝度から画像の最暗部の輝度を差し引き、非画像部の背景の輝度で除算した値を、コントラスト値として用いることもできる。即ち、コントラスト値Ｃを、Ｃ＝（Ｃｄ_Ｍａｘ−Ｃｄ_Ｍｉｎ）／Ｃｄ_Ｂとしてもよい。その他、コントラスト値Ｃに関して、Ｃ＝Ｌｏｇ（Ｃｄ_Ｍａｘ／Ｃｄ_Ｂ）のように対数関数的な演算を施しても、また、Ｃ＝（Ｃｄ_Ｍａｘ／Ｃｄ_Ｂ）＾ｎ（ｎは実数）のように指数関数的な演算を施してもよい。いずれにしても、非画像部の背景の輝度に対する画像の最明部の輝度のコントラスト値が一致するように、目標輝度特性Ｔ_Ｃｄを変更することで、観察者により知覚される見た目の濃度変化を抑制することができる。即ち、おおよそ画像の見た目の印象を同じにすることができる。
【０２０３】
加えて、本実施形態では、２つの異なるテーブルを用いることで、プリント輝度特性の再現範囲が異なる場合においても、出力輝度の線形領域における傾きが一致するように、仮目標輝度特性Ｉ_Ｃｄを設定する例を示した。しかしながら、仮目標輝度特性Ｉ_Ｃｄの設定に関して、必ずしも上述の方法に限定されず、例えば、目標輝度特性Ｔ_Ｃｄをスプライン関数で定義し、出力輝度の線形領域における傾きが一致するようにスプライン関数の曲線を設定してもよい。
【０２０４】
ここで図８に戻り、照明変換特性設定部２０９は、プリント輝度値予測部２０７で予測されたパッチのプリント輝度予測値Ｃｄと、目標輝度特性設定部２０８で設定された目標輝度特性Ｔ_Ｃｄとを用いて、変換特性Ｏｕｔ_Ｔｂｌを設定する（Ｓ５０７）。変換特性Ｏｕｔ_Ｔｂｌは、実施形態１と同様に、プリント輝度予測値Ｃｄが、目標輝度特性Ｔ_Ｃｄとなるように設定される。
【０２０５】
即ち、照明変換特性設定部２０９において、階調毎の目標輝度特性Ｔ_Ｃｄに対するプリント輝度予測値Ｃｄの比に基づいて、変換特性Ｏｕｔ_Ｔｂｌを設定する。そして、このように変換特性Ｏｕｔ_Ｔｂｌを設定することで、全階調において、プリント輝度予測値を目標輝度特性Ｔ_Ｃｄに近付けることができる。
【０２０６】
具体的には、変換特性Ｏｕｔ_Ｔｂｌは、次式に基づいて算出される。
【０２０７】
【数１１】
2019096928.tif 000013
【０２０８】
なお、Ｉｎは、入力画素値（０≦Ｉｎ≦２５５）である。また、Ｔ_Ｃｄ（Ｉｎ）は入力画素値Ｉｎにおける目標輝度特性、Ｃｄ（Ｉｎ）は入力画素値Ｉｎにおけるプリント輝度予測値である。
【０２０９】
以上のように、本実施形態では、非画像部の背景の輝度が異なること（即ち、コントラストが異なること）に起因する、観察者により知覚される見た目の濃度変化を抑制できることについて例示した。
【０２１０】
［実施形態５］
上述の実施形態では、照明装置における局所照明制御のための画像データの変換特性を、照明強度から予測されるプリント輝度（彩度）の再現範囲に応じて、「出力輝度の線形領域における傾きが一致する」ように設定する例として示した。また、同時に、照明装置における局所照明制御のための画像データの変換特性を、照明強度から予測されるプリント輝度（彩度）の再現範囲に応じて、「入力画像の輝度（彩度）に対する線形領域が増加する」ように設定する例としても示した。
【０２１１】
但し、変換特性の設定対象としては、必ずしも照明階調変換部２１０における階調特性に限定されない。したがって、例えば、上述の図１９において示した照明処理部２１１において、空間フィルタ処理部８０１、ＣＭＳ処理部８０２のいずれか、又は双方において設定（制御）するようにしてもよい。
【０２１２】
この場合、空間フィルタ処理部８０１においては、フィルタテーブル８０３の変更又は設定を行えばよい。また、ＣＭＳ処理部８０２においては、カラープロファイル８０４の変更又は設定を行えばよい。いずれにしても、予測されるプリント輝度（彩度）の再現範囲に応じて、「出力輝度（彩度）の線形領域における傾きが一致する」ように、加えて「輝度（彩度）に対する線形領域が増加する」ように、画像データの変換特性が設定されればよい。
【０２１３】
［その他の実施形態］
本発明は、上述の実施形態の一以上の機能を実現するプログラムを、ネットワーク又は記憶媒体を介してシステム又は装置に供給し、そのシステム又は装置のコンピュータにおける一以上のプロセッサがプログラムを読み出し実行する処理でも実現可能である。また、一以上の機能を実現する回路（例えば、ＡＳＩＣ）によっても実現可能である。
【図１】
2019096928.tif 000014
【図２】
2019096928.tif 000015
【図３】
2019096928.tif 000016
【図４】
2019096928.tif 000017
【図５】
2019096928.tif 000018
【図６】
2019096928.tif 000019
【図７】
2019096928.tif 000020
【図８】
2019096928.tif 000021
【図９】
2019096928.tif 000022
【図１０】
2019096928.tif 000023
【図１１】
2019096928.tif 000024
【図１２】
2019096928.tif 000025
【図１３】
2019096928.tif 000026
【図１４】
2019096928.tif 000027
【図１５】
2019096928.tif 000028
【図１６】
2019096928.tif 000029
【図１７】
2019096928.tif 000030
【図１８】
2019096928.tif 000031
【図１９】
2019096928.tif 000032
【図２０】
2019096928.tif 000033
【図２１】
2019096928.tif 000034
【図２２】
2019096928.tif 000035
【図２３】
2019096928.tif 000036
【図２４】
2019096928.tif 000037
【図２５】
2019096928.tif 000038